(57)【特許請求の範囲】
【請求項１】
ネットワーク側の機器に応用される制御チャネルの伝送方法であって、
端末タイプを指示するための指示情報を取得することと、
前記指示情報により指示された端末タイプが第１の端末タイプである場合、複数のサブフレームにて前記第１の端末タイプの端末に制御チャネルを重複送信することと、
前記指示情報により指示された端末タイプが第２の端末タイプである場合、単一のサブフレームにて前記第２の端末タイプの端末に制御チャネルを送信することを、含み、
複数のサブフレームにて前記制御チャネルを重複送信する場合に簡略化のＤＣＩフォーマットを使用し、前記簡略化のＤＣＩフォーマットにサービスチャネルの重複回数を指示するビット領域が増加される制御チャネルの伝送方法。
【請求項２】
端末タイプを指示するための指示情報を取得することが、
端末に対応する物理ランダムアクセスチャネルＰＲＡＣＨ情報に基づいて、前記指示情報を取得することと、
端末の位置情報に基づいて前記指示情報を取得すること、
の中の少なくとも一つを含む請求項１に記載の方法。
【請求項３】
端末に対応するＰＲＡＣＨ情報に基づいて前記指示情報を取得することが、
端末に対応するＰＲＡＣＨ情報に基づいて前記端末タイプを確定することを含み、ここで、前記第１の端末タイプと前記第２の端末タイプに対応するＰＲＡＣＨ情報が異なり、
端末に対応するＰＲＡＣＨリソースに基づいて前記端末タイプを確定することをさらに含み、ここで、前記第１の端末タイプと前記第２の端末タイプに対応するＰＲＡＣＨリソースが異なり、
端末が位置するセル内の所定のエリアに基づいて前記端末タイプを確定することをさらに含み、ここで、前記第１の端末タイプと前記第２の端末タイプに対応する前記所定のエリアが異なる請求項２に記載の方法。
【請求項４】
前記第１の端末タイプのＤＣＩのビット数量が前記第２の端末タイプのＤＣＩビット数量以下であることをさらに含む請求項１に記載の方法。
【請求項５】
長期的進化ＬＴＥシステムの帯域幅に基づいて利用される制御チャネルのタイプを確定する方式と、
キャリアタイプに基づいて利用される制御チャネルのタイプを確定する方式と、
所定の制御チャネルのタイプを一貫して利用する方式と、
上位シグナルにより制御チャネルのタイプを配置する方式と、
の中の一つの方式で前記制御チャネルのタイプを確定する請求項１に記載の方法。
【請求項６】
前記制御チャネルが、物理ダウンリンク制御チャネルＰＤＣＣＨと拡張された物理ダウンリンク制御チャネルｅＰＤＣＣＨとを含み、
前記指示情報により指示された端末タイプが第１の端末タイプである場合、長期的進化ＬＴＥシステムの帯域幅に基づいて利用される制御チャネルのタイプを確定することが、前記帯域幅が所定の閾値に等しい場合、ＰＤＣＣＨを利用し、前記帯域幅が所定の閾値を超える場合、ｅＰＤＣＣＨを利用することを含み、又は、キャリアタイプに基づいて利用される制御チャネルのタイプを確定することが、新たなキャリアタイプＮＣＴではない場合にＰＤＣＣＨを利用し、ＮＣＴである場合にｅＰＤＣＣＨを利用すること、又はｅＰＤＣＣＨを一貫して利用することを含み、
前記指示情報により指示された端末タイプが第２の端末タイプである場合、ＬＴＥシステムの帯域幅に基づいて利用される制御チャネルタイプを確定することが、前記帯域幅が所定の閾値に等しい場合、ＰＤＣＣＨ又はｅＰＤＣＣＨを利用し、前記帯域幅が所定の閾値を超える場合、ｅＰＤＣＣＨを利用することを含み、又は、キャリアタイプに基づいて利用される制御チャネルのタイプを確定することは、非ＮＣＴの場合にＰＤＣＣＨを利用し、ＮＣＴである場合にｅＰＤＣＣＨを利用すること、又はＰＤＣＣＨを一貫して利用することを含む請求項５に記載の方法。
【請求項７】
複数のサブフレームにて前記第１の端末タイプの端末に制御チャネルを送信する場合、
複数のサブフレームにて前記制御チャネルに対応するデータチャネルを伝送することをさらに含む請求項５に記載の方法。
【請求項８】
前記制御チャネルの重複回数に対応させる方式と、
前記制御チャネル中の制御情報で指示する方式と、
事前定義された重複回数を利用する方式と、
の中の一つの方式で前記データチャネルの重複回数を確定する請求項７に記載の方法。
【請求項９】
前記データチャネルと前記制御チャネルとの間のタイミング関係が、
ダウンリンクデータチャネルと前記制御チャネルが同一のサブフレームで伝送されること、又は、前記データチャネルが前記制御チャネルの後のＴ（Ｔは正整数である）個のサブフレームで伝送されることを含む請求項７に記載の方法。
【請求項１０】
事前定義方式又はシグナル指示方式でバンドリング伝送するサブフレームを確定することと、ここで、前記バンドリング伝送とは前記制御チャネルの時間領域での重複送信を指し、
前記制御チャネルをバンドリング伝送するリソースの位置を確定することにより、
制御チャネルに対応するリソースを確定する請求項１に記載の方法。
【請求項１１】
事前定義方式の方式でバンドリング伝送するサブフレームを確定することが、
時間領域において、各無線フレームがｈ個のサブフレームを利用し、Ｍ（ｈとＭはいずれも自然数）個の無線フレームを配置する方式を利用すると事前定義することを含む請求項１０に記載の方法。
【請求項１２】
使用するＯＦＤＭシンボル数量及び位置が同じである連続するＮ（Ｎは自然数である）個のサブフレームをバンドリングする方式を利用し、又は、所定の数量のサブフレームを間隔にする方式で、前記Ｎ個のサブフレームをバンドリングして、
連続するＮ個のサブフレームをバンドリングする方式を利用する場合、Ｎの値が４、８、１０、２０、５０、６０、１００の中の一つである請求項１１に記載の方法。
【請求項１３】
メインシステム情報ブロック情報ブロックＭＩＢメッセージにより指示する方式と、
メイン同期シーケンス又はサブ同期シーケンスの両側に予め保留されたサブキャリアにＮ  ｂｉｔ（Ｎは自然数である）を携帯して指示する方式と、
無線リソース制御ＲＲＣ接続を確立した後、ＲＲＣシグナルにより通知する方式と、
ランダムアクセスチャネルＲＡＣＨ中にシグナルにより指示する方式と、
の中の一つのシグナル指示方式で、バンドリング伝送するサブフレームを確定する請求項１０に記載の方法。
【請求項１４】
前記制御チャネルをバンドリング伝送するリソースの位置を確定することが、
前記制御チャネルがｅＰＤＣＣＨである場合、ｅＰＤＣＣＨを各バンドリングサブフレームの同一のインデックスの補強制御チャネル要素ｅＣＣＥにて重複伝送し、
ｅＰＤＣＣＨを各バンドリングサブフレームの同一のＰＲＢ集合中の同一のインデックス候補セットにて重複伝送し、
ｅＰＤＣＣＨを各バンドリングサブフレームの対応するＰＲＢ内の事前定義されたアグリゲーションレベルで同一のｅＣＣＥにて伝送し、ここで、同一のＰＲＢ集合中に同一の候補セットインデックスが存在し、
ｅＰＤＣＣＨを各バンドリングサブフレームの異なるＰＲＢ集合中の同一の候補セットインデックスに対応するｅＣＣＥにて重複伝送する
ことの中に一つを含む請求項１０に記載の方法。
【請求項１５】
制御チャネルベアラ情報によりスケジューリングされるデータに対応する巡回冗長検査ＣＲＣ確定方法、又は、前記制御チャネルベアラ情報に対応するＣＲＣ確定方法は、
一つの閾値Ｘ１を事前定義し、伝送ブロック情報ビットの数量が閾値Ｘ１未満であると、Ａ１ビットのＣＲＣを追加し、そうでないと、Ａ２ビットのＣＲＣを追加し（ここで、Ａ１とＡ２は正整数で、Ｘ１は自然数である）、
二つの閾値Ｘ１、Ｙ１（ここで、Ｘ１、Ｙ１はいずれも自然数であり、Ｘ１＞Ｙ１である）を事前定義し、伝送ブロック情報ビットの数量がＸ１以上であると、Ｂ１ビットのＣＲＣを追加し、伝送ブロック情報ビット数量がＹ１以上Ｘ１未満であると、Ｂ２ビットのＣＲＣを追加し、伝送ブロック情報ビット数量がＹ１未満であると、Ｂ３ビットのＣＲＣを追加することの中の一つを含み、
Ａ１とＡ２が、（８，１６）、（１６，２４）、（８，２４）、（４，１６）の中の一つの集合（Ａ１，Ａ２）であり、及び／又は
Ｂ１、Ｂ２、Ｂ３が（２４，１６，８）、（１６，８，４）の中の一つの集合（Ｂ１，Ｂ２，Ｂ３）である請求項１に記載の方法。
【請求項１６】
端末に応用される制御チャネルの伝送処理方法であって、
端末タイプを指示するための指示情報を取得することと、
前記指示情報により指示された端末タイプが第１の端末タイプである場合、複数のサブフレームにて制御チャネルを検出することと、
前記指示情報により指示された端末タイプが第２の端末タイプである場合、単一のサブフレームにて前記制御チャネルを検出することを含み、
複数のサブフレームにて前記制御チャネルを検出する場合にＤＣＩフォーマットを使用し、簡略化のＤＣＩフォーマットにサービスチャネルの重複回数を指示するビット領域が増加される制御チャネルの伝送処理方法。
【請求項１７】
長期的進化ＬＴＥシステムの帯域幅に基づいて所定の制御チャネルタイプを検出する方式と、
キャリアタイプに基づいて検出する所定の制御チャネルタイプを確定する方式と、
所定の制御チャネルタイプを一貫して検出する方式と、
の中の一つによって、前記制御チャネルのタイプを確定する請求項１６に記載の方法。
【請求項１８】
前記制御チャネルが、物理ダウンリンク制御チャネルＰＤＣＣＨと、拡張された物理ダウンリンク制御チャネルｅＰＤＣＣＨと、を含み、
前記指示情報により指示された端末タイプが第１の端末タイプである場合、長期的進化ＬＴＥシステムの帯域幅に基づいて、所定の制御チャネルタイプを検出することが、前記帯域幅が所定の閾値に等しい場合、ＰＤＣＣＨを検出し、前記帯域幅が所定の閾値を超える場合、ｅＰＤＣＣＨを検出することを含み、又は、キャリアタイプに基づいて、検出する所定の制御チャネルタイプを確定することが、互換性キャリアである場合にＰＤＣＣＨを検出し、非互換性キャリアである場合にｅＰＤＣＣＨを検出すること、又はｅＰＤＣＣＨを一貫して検出することを含み、
前記指示情報により指示された端末タイプが第２の端末タイプである場合、長期的進化ＬＴＥシステムの帯域幅に基づいて所定の制御チャネルタイプを検出することが、前記帯域幅が所定の閾値に等しい場合、ＰＤＣＣＨ又はｅＰＤＣＣＨを検出し、前記帯域幅が所定の閾値を超える場合、ｅＰＤＣＣＨを検出することを含み、又は、キャリアタイプに基づいて検出する所定の制御チャネルタイプを検出することが、互換性キャリアである場合にＰＤＣＣＨを検出し、非互換性キャリアである場合にｅＰＤＣＣＨを検出すること、又はＰＤＣＣＨを一貫して利用することを含む請求項１７に記載の方法。
【請求項１９】
ネットワーク側の機器に応用される制御チャネルの伝送装置であって、
端末タイプを指示するための指示情報を取得するように構成される取得モジュールと、
前記指示情報により指示された端末タイプが第１の端末タイプである場合、複数のサブフレームにて前記第１の端末タイプの端末に制御チャネルを送信するように構成される送信モジュールと、を含み、
前記送信モジュールが、さらに、前記指示情報により指示された端末タイプが第２の端末タイプである場合、単一のサブフレームにて前記第２の端末タイプの端末に制御チャネルを送信するように設置され、
複数のサブフレームにて前記制御チャネルを重複送信する場合に簡略化のＤＣＩフォーマットを使用し、前記簡略化のＤＣＩフォーマットにサービスチャネルの重複回数を指示するビット領域が増加される制御チャネルの伝送装置。
【請求項２０】
端末に応用される制御チャネルの伝送処理装置であって、
端末タイプを指示するための指示情報を取得するように設置される取得モジュールと、
前記指示情報により指示された端末タイプが第１の端末タイプである場合、複数のサブフレームにて制御チャネルを検出するように設置された検出モジュールとを含み、
前記検出モジュールがさらに、前記指示情報により指示された端末タイプが第２の端末タイプである場合、単一のサブフレームにて前記制御チャネルを検出するように設置され、
複数のサブフレームにて前記制御チャネルを検出する場合にＤＣＩフォーマットを使用し、簡略化のＤＣＩフォーマットにサービスチャネルの重複回数を指示するビット領域が増加される制御チャネルの伝送処理装置。
【発明の詳細な説明】
【技術分野】
【０００１】
本発明は、通信分野に関し、具体的に、制御チャネルの伝送、伝送処理方法及び装置に関するものである。
【背景技術】
【０００２】
マシン型通信（Ｍａｃｈｉｎｅ  Ｔｙｐｅ  Ｃｏｍｍｕｎｉｃａｔｉｏｎ、ＭＴＣと略称）ユーザ機器（Ｕｓｅｒ  Ｅｑｕｉｐｍｅｎｔ、ユーザ機器又は端末）は、マシンツーマシン（Ｍａｃｈｉｎｅ  ｔｏ  Ｍａｃｈｉｎｅ、Ｍ２Ｍと略称）ユーザ通信機器とも呼ばれ、今のモノのネットワークの主な応用形態である。近年、長期的進化（Ｌｏｎｇ−Ｔｅｒｍ  ＥｖＯＬｕｔｉｏｎ、ＬＴＥと略称）／高級長期的進化システム（Ｌｏｎｇ−Ｔｅｒｍ  ＥｖＯＬｕｔｉｏｎ  Ａｄｖａｎｃｅ、ＬＴＥ−Ａｄｖａｎｃｅ又はＬＴＥ−Ａと略称）の周波数スペクトル効率が高いので、ますます多くの移動事業者が、ブロードバンド無線通信システムの発展方向としてＬＴＥ／ＬＴＥ−Ａを選択している。ＬＴＥ／ＬＴＥ−ＡのＭＴＣに基づく複種類のデータサービスもさらに魅力を持つことになる。
【０００３】
従来のＬＴＥ／ＬＴＥ−Ａシステムは、サブフレーム各々の動的スケジューリングに基づいて伝送し、そのフレーム構造は図１と図２に示すとおりである。
図１は、既存技術の周波数分割複信（Ｆｒｅｑｕｅｎｃｙ  Ｄｉｖｉｓｉｏｎ  Ｄｕｐｌｅｘｉｎｇ、ＦＤＤと略称）モードのフレーム構造を示す図である。図１に示すように、一つの１０ｍｓの無線フレームは２０個の長さが０．５ｍｓで番号が０〜１９であるタイムスロット（ｓｌｏｔ）からなり、タイムスロット２ｉと２ｉ＋１により長さが１ｍｓのサブフレーム（ｓｕｂｆｒａｍｅ）ｉを構成し、ここで、ｉは自然数である。
【０００４】
図２は、既存技術の時分割複信（Ｔｉｍｅ  Ｄｉｖｉｓｉｏｎ  Ｄｕｐｌｅｘｉｎｇ、ＴＤＤと略称）モードのフレーム構造を示す図で、図２に示すように、一つの１０ｍｓの無線フレームは二つの長さが５ｍｓのハーフフレーム（ｈａｌｆ  ｆｒａｍｅ）からなり、一つのハーフフレームは五つの長さが１ｍｓのサブフレームを含み、サブフレームｉは二つの長さが０．５ｍｓのタイムスロット２ｉと２ｉ＋１とに定義される。
【０００５】
ＬＴＥ／ＬＴＥ−Ａに物理ダウンリンク制御チャネル（Ｐｈｙｓｉｃａｌ  Ｄｏｗｎｌｉｎｋ  Ｃｏｎｔｒｏｌ  Ｃｈｈａｎｎｅｌ、ＰＤＣＣＨと略称）及び拡張物理ダウンリンク制御チャネル（ｅｎｈａｎｃｅｄ  Ｐｈｙｓｉｃａｌ  Ｄｏｗｎｌｉｎｋ  Ｃｏｎｔｒｏｌ  Ｃｈｈａｎｎｅｌ、ｅＰＤＣＣＨと略称）が定義された。ここで、物理制御フォーマットインジケータチャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨと略称）に乗せられる情報は、一つのサブフレームで伝送されるＰＤＣＣＨの直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭと略称）シンボルの数量を指示するためのものである。ハイブリッド自動再送要求（Ａｕｔｏｍａｔｉｃ  Ｒｅｐｅａｔ−ｒｅＱｕｅｓｔ、ＡＲＱと略称）インジケータチャネル（Ｐｈｙｓｉｃａｌ  Ｈｙｂｒｉｄ−ＡＲＱ  Ｉｎｄｉｃａｔｏｒ  Ｃｈａｎｎｅｌ、ＰＨＩＣＨと略称）は、アップリンク伝送データの肯定応答／否定応答（ＡＣＫ／ＮＡＣＫ）フィードバック情報を乗せるものである。
【０００６】
ＰＤＣＣＨは、アップリンクスケジューリング情報、ダウンリンクスケジューリング情報、アップリンクパワー制御情報を含むダウンリンク制御情報（Ｄｏｗｎｌｉｎｋ  Ｃｏｎｔｒｏｌ  Ｉｎｆｏｒｍａｔｉｏｎ、ＤＣＩと略称）を乗せるためのものである。
【０００７】
ＭＴＣは、ＰＤＣＣＨ／ｅＰＤＣＣＨチャネルを復調することでダウンリンク制御情報ＤＣＩを取得して、物理ダウンリンク共有チャネル（Ｐｈｙｓｉｃａｌ  Ｄｏｗｎｌｉｎｋ  Ｓｈａｒｅ  Ｃｈａｎｎｅｌ、ＰＤＳＣＨと略称）と物理アップリンク共有チャネル（Ｐｈｙｓｉｃａｌ  Ｕｐｌｉｎｋ  Ｓｈａｒｅ  Ｃｈａｎｎｅｌ、ＰＵＳＣＨと略称）の復調及び制御を実現する。
【０００８】
ＭＴＣにおいて、１種の端末は位置する箇所又は自体の特性の制限を受けて、カバー性能が著しく低減している。このような端末の場合、低カバー環境で、特別なカバー補強対策を取る必要がある。同期チャネルやサービスデータの時間領域での重複送信、即ち、複数のサブフレームにより同一の情報を送信する場合、受信側でエネルギー累積を行うことは、カバー問題を解決する際の有効な方法である。ダウンリンク制御チャネルは、未だに時間領域での重複送信を支援しない。
既存技術における上述した課題に対して、未だに有効な解決案を提示していない。
【発明の概要】
【発明が解決しようとする課題】
【０００９】
既存技術において、ダウンリンク制御チャネルが重複送信を行うことができないなどの技術課題に鑑み、本発明の実施例は、少なくとも上述した課題を解決できる制御チャネルの伝送、伝送処理方法及び装置、ネットワーク側機器、端末を提供する。
【課題を解決するための手段】
【００１０】
本発明の一実施例によると、ネットワーク側の機器に応用される制御チャネルの伝送方法であって、端末タイプを指示するための指示情報を取得することと、前記指示情報により指示された端末タイプが第１の端末タイプである場合、複数のサブフレームにて前記第１の端末タイプの端末に制御チャネルを送信することと、を含む制御チャネルの伝送方法を提供する。
【００１１】
上記方法が、前記指示情報により指示された端末タイプが第２の端末タイプである場合、単一のサブフレームにて前記第２の端末タイプの端末に制御チャネルを送信することを、さらに含むことが好ましい。
【００１２】
端末タイプを指示するための指示情報を取得することが、端末に対応する物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨと略称）情報に基づいて、前記指示情報を取得することと、端末の位置情報に基づいて前記指示情報を取得することの中の少なくとも一つを含むことが好ましい。
【００１３】
端末に対応するＰＲＡＣＨ情報に基づいて前記指示情報を取得することが、端末に対応するＰＲＡＣＨ情報に基づいて前記端末タイプを確定することを含み、ここで、前記第１の端末タイプと前記第２の端末タイプに対応するＰＲＡＣＨ情報が異なることが好ましい。
【００１４】
端末に対応するＰＲＡＣＨ情報に基づいて前記指示情報を取得する前、端末に対応するＰＲＡＣＨリソースに基づいて前記端末タイプを確定することをさらに含み、ここで、前記第１の端末タイプと前記第２の端末タイプに対応するＰＲＡＣＨリソースが異なることが好ましい。
【００１５】
端末の位置情報に基づいて前記指示情報を取得する前、端末が位置するセル内の所定のエリアに基づいて前記端末タイプを確定することをさらに含み、ここで、前記第１の端末タイプと前記第２の端末タイプに対応する前記所定のエリアが異なることが好ましい。
【００１６】
上記方法が、前記第１の端末タイプのＤＣＩのビット数量が前記第２の端末タイプのＤＣＩビット数量以下であることをさらに含むことが好ましい。
【００１７】
上記方法が、同一の伝送モードで、複数のサブフレームで伝送する制御チャネルに対応するダウンリンク制御情報ＤＣＩと単一のサブフレームで伝送する制御チャネルに対応するＤＣＩとが異なることをさらに含むことが好ましい。
【００１８】
長期的進化ＬＴＥシステムの帯域幅に基づいて利用される制御チャネルのタイプを確定する方式と、キャリアタイプに基づいて利用される制御チャネルのタイプを確定する方式と、所定の制御チャネルのタイプを一貫して利用する方式と、上位シグナルにより制御チャネルのタイプを配置する方式と、の中の一つの方式で前記制御チャネルのタイプを確定することが好ましい。
【００１９】
前記制御チャネルが、物理ダウンリンク制御チャネルＰＤＣＣＨと拡張された物理ダウンリンク制御チャネルｅＰＤＣＣＨとを含み、
前記指示情報により指示された端末タイプが第１の端末タイプである場合、長期的進化ＬＴＥシステムの帯域幅に基づいて利用される制御チャネルのタイプを確定することが、前記帯域幅が所定の閾値に等しい場合、ＰＤＣＣＨを利用し、前記帯域幅が所定の閾値を超える場合、ｅＰＤＣＣＨを利用することを含み、また、キャリアタイプに基づいて利用される制御チャネルのタイプを確定することが、新たなキャリアタイプＮＣＴではない場合にＰＤＣＣＨを利用し、ＮＣＴである場合にｅＰＤＣＣＨを利用することと、ｅＰＤＣＣＨを一貫して利用することと、含み、
前記指示情報により指示された端末タイプが第２の端末タイプである場合、ＬＴＥシステムの帯域幅に基づいて利用される制御チャネルタイプを確定することが、前記帯域幅が所定の閾値に等しい場合、ＰＤＣＣＨ又はｅＰＤＣＣＨを利用し、前記帯域幅が所定の閾値を超える場合、ｅＰＤＣＣＨを利用することを含み、また、キャリアタイプに基づいて利用される制御チャネルのタイプを確定することは、新たなキャリアタイプ（Ｎｅｗ  Ｃａｒｒｉｅｒ  Ｔｙｐｅ、ＮＣＴと略称）ではない場合にＰＤＣＣＨを利用し、ＮＣＴである場合にｅＰＤＣＣＨを利用すること、ＰＤＣＣＨを一貫して利用することとを含むことが好ましい。
【００２０】
複数のサブフレームにて前記第１の端末タイプの端末に制御チャネルを送信する場合、複数のサブフレームにて前記制御チャネルに対応するデータチャネル及び／又は前記制御チャネルに対応するアップリンク制御チャネルを伝送することをさらに含むことが好ましい。
【００２１】
前記制御チャネルの重複回数に対応させる方式と、前記制御チャネル中の制御情報で指示する方式と、事前定義された重複回数を利用する方式と、の中の一つの方式で前記データチャネル又は前記アップリンク制御チャネルの重複回数を確定することが好ましい。
【００２２】
前記データチャネルと前記制御チャネルとの間のタイミング関係が、前記ダウンリンクデータチャネルと前記制御チャネルが同一のサブフレームで伝送されること、又は、前記データチャネルが前記制御チャネルの後のＴ（Ｔは０又は正整数である）個のサブフレームで伝送されることを含むことが好ましい。
【００２３】
事前定義方式又はシグナル指示方式でバンドリング伝送するサブフレームを確定することと、前記制御チャネルをバンドリング伝送するリソースの位置を確定することにより、制御チャネルに対応するリソースを確定し、ここで、前記バンドリング伝送とは前記制御チャネルの時間領域での重複送信を指すことが好ましい。
【００２４】
事前定義方式の方式でバンドリング伝送するサブフレームを確定することが、時間領域において、各無線フレームがｈ個のサブフレームを利用し、Ｍ（ｈとＭはいずれも自然数）個の無線フレームを配置する方式を利用すると事前定義することを含むことが好ましい。
【００２５】
前記ｈの値が、１、２、３、４、５、６、７、８、９、１０の中の一つであることが好ましい。
【００２６】
使用するＯＦＤＭシンボル数量及び位置が同じである連続するＮ（Ｎは自然数である）個のサブフレームをバンドリングする方式を利用し、又は、所定の数量のサブフレームを間隔にする方式で、前記Ｎ個のサブフレームをバンドリングすることが好ましい。
【００２７】
連続するＮ個のサブフレームをバンドリングする方式を利用する場合、Ｎの値が４、８、１０、２０、５０、１００の中の一つであることが好ましい。
【００２８】
メインシステム情報ブロック情報管理エンティティ（Ｍａｎａｇｅｍｅｎｔ  Ｉｎｆｏｒｍａｔｉｏｎ  Ｂａｓｅ、ＭＩＢと略称）メッセージにより指示する方式と、メイン同期シーケンス又はサブ同期シーケンスの両側に予め保留されたサブキャリアにＮ  ｂｉｔ（Ｎは自然数である）を携帯して指示する方式と、無線リソース制御（Ｒａｄｉｏ  Ｒｅｓｏｕｒｃｅ  Ｃｏｎｔｒｏｌ、ＲＲＣと略称）接続を確立した後、ＲＲＣシグナルにより通知する方式と、ランダムアクセスチャネル（Ｒａｎｄｏｍ  Ａｃｃｅｓｓ  Ｃｈａｎｎｅｌ、ＲＡＣＨと略称）中にシグナルにより指示する方式と、の中の一つのシグナル指示方式でバンドリング伝送するサブフレームを確定することが好ましい。
【００２９】
前記制御チャネルをバンドリング伝送するリソースの位置を確定することが、物理ダウンリンク制御チャネルＰＤＣＣＨの場合、ＰＤＣＣＨを各バンドリングサブフレームの同一のインデックスの制御チャネル要素（Ｃｏｎｔｒｏｌ  Ｃｈａｎｎｅｌ  Ｅｌｅｍｅｎｔ、ＣＣＥと略称）にて重複伝送する方式と、ＰＤＣＣＨを各バンドリングサブフレームの専用捜索空間内の同一のインデックスの候補セットにて重複伝送する方式と、ＰＤＣＣＨを各バンドリングサブフレームの事前定義されたアグリゲーションレベルで専用捜索空間にて重複伝送する方式と、の中の一つによって、前記リソース位置を確定することが好ましい。
【００３０】
事前定義方式の方式でバンドリング伝送するサブフレームを確定することが、前記制御チャネルが、拡張された物理ダウンリンク制御チャネルｅＰＤＣＣＨである場合、全てのバンドリングサブフレームを同一の物理リソースブロック（Ｐｈｙｓｉｃａｌ  Ｒｅｓｏｕｒｃｅ  Ｂｌｏｃｋ、ＰＲＢと略称）にて伝送する方式と、重複サブフレームの周波数領域位置が原始サブフレームの周波数領域位置に対して同一の集合内で周波数ホッピングする方式と、重複サブフレームの周波数領域位置が原始サブフレームの周波数領域位置とは異なる集合内で周波数ホッピングする方式と、の中の一つによって、前記サブフレームを確定することが好ましい。
【００３１】
前記制御チャネルをバンドリング伝送するリソースの位置を確定することが、前記制御チャネルがｅＰＤＣＣＨである場合、ｅＰＤＣＣＨを各バンドリングサブフレームの同一のインデックスの補強制御チャネル要素（ｅｎｈａｎｃｅｄ  Ｃｏｎｔｒｏｌ  Ｃｈａｎｎｅｌ  Ｅｌｅｍｅｎｔ、ｅＣＣＥと略称）にて重複伝送し、ｅＰＤＣＣＨを各バンドリングサブフレームの同一のＰＲＢ集合中の同一のインデックス候補セットにて重複伝送し、ｅＰＤＣＣＨを各バンドリングサブフレームの対応するＰＲＢ内の事前定義されたアグリゲーションレベルで同一のｅＣＣＥにて伝送し、ここで、同一のＰＲＢ集合中に同一の候補セットインデックスが存在し、ｅＰＤＣＣＨを各バンドリングサブフレームの異なるＰＲＢ集合中の同一の候補セットインデックスに対応するｅＣＣＥにて重複伝送することの中に一つを含むことが好ましい。
【００３２】
前記制御チャネルベアラ情報によりスケジューリングされるデータに対応する符号化方法、又は、前記制御チャネルベアラ情報に対応する符号化方法が、一つの閾値Ｘを事前定義し、伝送ブロック情報ビットの数量が閾値Ｘ未満であると、テールバイティング畳み込み符号（Ｔａｉｌ  Ｂｉｔｉｎｇ  Ｃｏｎｖｏｌｕｔｉｏｎａｌ  ｃｏｄｅ、ＴＢＣＣと略称）を利用し、そうでないと、ｔｕｒｂｏで符号化し、ここで、Ｘは自然数であり、二つの閾値Ｘ、Ｙ（Ｘ、Ｙはいずれも自然数であって、Ｘ＞Ｙである）を事前定義し、伝送ブロック情報ビットの数量がＸ以上であると、ｔｕｒｂｏで符号化し、伝送ブロック情報ビット数量がＹ以上Ｘ未満であると、ＴＢＣＣで符号化し、伝送ブロック情報ビット数量がＹ未満であると、ＲＭ（Ｒｅｅｄ−Ｍｕｌｌｅｒ）で符号化することの中の一つを含むことが好ましい。
【００３３】
前記制御チャネルベアラ情報によりスケジューリングされるデータに対応する巡回冗長検査（Ｃｙｃｌｉｃ  Ｒｅｄｕｎｄａｎｃｙ  Ｃｈｅｃｋ、ＣＲＣと略称）確定方法、又は、前記制御チャネルベアラ情報に対応するＣＲＣ確定方法は、一つの閾値Ｘ１を事前定義し、伝送ブロック情報ビットの数量が閾値Ｘ１未満であると、Ａ１ビットのＣＲＣを追加し、そうでないと、Ａ２ビットのＣＲＣを追加し（ここで、Ａ１とＡ２は正整数で、Ｘ１は自然数である）、二つの閾値Ｘ１、Ｙ１（ここで、Ｘ１、Ｙ１はいずれも自然数であり、Ｘ１＞Ｙ１である）を事前定義し、伝送ブロック情報ビットの数量がＸ１以上であると、Ｂ１ビットのＣＲＣを追加し、伝送ブロック情報ビット数量がＹ１以上Ｘ１未満であると、Ｂ２ビットのＣＲＣを追加し、伝送ブロック情報ビット数量がＹ１未満であると、Ｂ３ビットのＣＲＣを追加することの中の一つを含むことが好ましい。
【００３４】
Ａ１とＡ２が、（８，１６）、（１６，２４）、（８，２４）、（４，１６）の中の一つの集合（Ａ１，Ａ２）であって、及び／又はＢ１、Ｂ２、Ｂ３が（２４，１６，８）、（１６，８，４）の中の一つの集合（Ｂ１，Ｂ２，Ｂ３）であることが好ましい。
【００３５】
本発明の他の実施例によると、端末に応用される制御チャネルの伝送処理方法であって、端末タイプを指示するための指示情報を取得することと、前記指示情報により指示された端末タイプが第１の端末タイプである場合、複数のサブフレームにて制御チャネルを検出することと、を含む制御チャネルの伝送処理方法を提供する。
【００３６】
前記指示情報により指示された端末タイプが第２の端末タイプである場合、単一のサブフレームにて前記制御チャネルを検出することをさらに含むことが好ましい。
【００３７】
端末タイプを指示するための指示情報を取得することが、端末に対応する物理ランダムアクセスチャネルＰＲＡＣＨ情報に基づいて前記指示情報を取得することと、端末の位置情報に基づいて前記指示情報を取得することの中の少なくとも一つを含むことが好ましい。
【００３８】
端末に対応するＰＲＡＣＨ情報に基づいて前記指示情報を取得する前、端末に対応するＰＲＡＣＨ情報に基づいて前記端末タイプを確定することをさらに含み、ここで、前記第１の端末タイプと前記第２の端末タイプに対応するＰＲＡＣＨ情報は異なることが好ましい。
【００３９】
端末に対応するＰＲＡＣＨ情報に基づいて前記指示情報を取得する前、端末に対応するＰＲＡＣＨリソースに基づいて前記端末タイプを確定することをさらに含み、ここで、前記第１の端末タイプと前記第２の端末タイプに対応するＰＲＡＣＨリソースが異なることが好ましい。
【００４０】
端末の位置情報に基づいて前記指示情報を取得する前、端末が位置するセルの所定のエリアに基づいて前記端末タイプを確定することをさらに含み、ここで、前記第１の端末タイプと前記第２の端末タイプに対応する前記所定のエリアが異なることが好ましい。
【００４１】
ＬＴＥシステムの異なる帯域幅に基づいて、前記制御チャネルが異なるフォーマットのＤＣＩベアラ情報を用いると確定することが好ましい。
【００４２】
複数のフレーム重複状況で、簡略化（Ｃｏｍｐａｃｔ）のＤＣＩフォーマットを利用することが好ましい。簡略化のＤＣＩフォーマットにｂｉｔ領域を追加することができ、サービスチャネルの重複回数の指示を追加することが好ましい（例えば、２ｂｉｔ情報、ＤＣＩにサービスチャネルの重複回数の指示を追加し、好適な集合は｛１０、２０、３０、５０｝である）。
【００４３】
長期的進化ＬＴＥシステムの帯域幅に基づいて所定の制御チャネルタイプを検出する方式と、キャリアタイプに基づいて検出する所定の制御チャネルタイプを確定する方式と、所定の制御チャネルタイプを一貫して検出する方式と、の中の一つによって、前記制御チャネルのタイプを確定することが好ましい。
【００４４】
前記制御チャネルが、物理ダウンリンク制御チャネルＰＤＣＣＨと、拡張された物理ダウンリンク制御チャネルｅＰＤＣＣＨと、を含み、
前記指示情報により指示された端末タイプが第１の端末タイプである場合、長期的進化ＬＴＥシステムの帯域幅に基づいて、所定の制御チャネルタイプを検出することが、前記帯域幅が所定の閾値に等しい場合、ＰＤＣＣＨを検出し、前記帯域幅が所定の閾値を超える場合、ｅＰＤＣＣＨを検出することを含み、また、キャリアタイプに基づいて、検出する所定の制御チャネルタイプを確定することが、互換性キャリアである場合ばＰＤＣＣＨを検出し、非互換性キャリアである場合はｅＰＤＣＣＨを検出することと、ｅＰＤＣＣＨを一貫して検出することと、を含み、
前記指示情報により指示された端末タイプが第２の端末タイプである場合、長期的進化ＬＴＥシステムの帯域幅に基づいて所定の制御チャネルタイプを検出することが、前記帯域幅が所定の閾値に等しい場合、ＰＤＣＣＨ又はｅＰＤＣＣＨを検出し、前記帯域幅が所定の閾値を超える場合、ｅＰＤＣＣＨを検出することを含み、また、キャリアタイプに基づいて検出する所定の制御チャネルタイプを検出することが、互換性キャリアである場合にはＰＤＣＣＨを検出し、非互換性キャリアである場合にはｅＰＤＣＣＨを検出することと、ＰＤＣＣＨを一貫して検出することとを含むことが好ましい。
【００４５】
上記方法が、複数のサブフレームで制御チャネルを検出する場合、端末が前記制御チャネルの位置に基づいて前記制御チャネルスによりケジューリングされたデータチャネル位置を確定することと、前記データチャネルと前記制御チャネルを同一のサブフレームにて伝送することと、をさらに含むことが好ましい。
【００４６】
上記データチャネルと前記制御チャネルとの間のタイミング関係が、前記データチャネルを前記制御チャネルの後のＴ個（ここで、Ｔは０又は正整数である）のサブフレームにて伝送することを含むことが好ましい。
【００４７】
事前定義方式又はシグナル指示方式でバンドリング伝送されたサブフレームを受信する方式と、前記制御チャネルをバンドリング伝送するリソースの位置を確定する方式で、制御チャネルに対応するリソースを確定することが好ましい。
【００４８】
事前定義方式でバンドリング伝送するサブフレームを確定することが、時間領域で、各無線フレームがｈ個のサブフレームを利用し、Ｍ個の無線フレームを配置する（ｈとＭはいずれも自然数である）する方式を利用すると事前定義することを含むことが好ましい。
【００４９】
上記ｈの値が１、２、３、４、５又は６であることが好ましい。
【００５０】
使用するＯＦＤＭシンボル数量及び位置が同一である連続するＮ個のサブフレームをバンドリングする方式（ここで、Ｎは自然数である）、又は、所定の数量のサブフレームを間隔にする方式で、前記Ｎ個のサブフレームをバンドリングすることが好ましい。
【００５１】
連続するＮ個のサブフレームをバンドリングする方式を利用する場合、Ｎの値が４、８、１０、２０の中の一つであることが好ましい。
【００５２】
メインシステム情報ブロックＭＩＢメッセージを受信することで、前記バンドリング伝送情報を取得する方式と、メイン同期シーケンス又はサブ同期シーケンスの両側の予約サブキャリアに携帯した所定のビットを受信することでバンドリング伝送指示情報を取得する方式と、無線リソース制御ＲＲＣ接続を確立した後、ＲＲＣシグナルを受信することで前記バンドリング伝送指示情報を取得する方式と、ランダムアクセスチャネルＲＡＣＨ中のシグナルに基づいて確定する方式と、の中の一つのシグナル指示方式によってバンドリング伝送指示情報を取得することが好ましい。
【００５３】
前記制御チャネルをバンドリング伝送するリソースの位置を確定することが、物理ダウンリンク制御チャネルＰＤＣＣＨについて、ＰＤＣＣＨの場合、各サブフレームでのＰＤＣＣＨ時間周波数領域検出方式が不変である方式と、各サブフレームにおいて事前定義されたアグリゲーションレベルＸ（ここで、Ｘは自然数である）で専用捜索空間においてＰＤＣＣＨをブラインド検出する方式と、の中の一つによって前記リソース位置を確定することが好ましい。
【００５４】
事前定義方式の方式でバンドリング伝送するサブフレームを確定することが、前記制御チャネルが拡張された物理ダウンリンク制御チャネルｅＰＤＣＣＨである場合、全てのバンドリングサブフレームを同一の物理リソースブロックＰＲＢにて伝送する方式と、重複サブフレームの周波数領域位置が原始サブフレームの周波数領域位置に対して所定の集合内で周波数ホッピングする方式と、重複サブフレームの周波数領域位置が原始サブフレームの周波数領域位置に対して異なる集合内で周波数ホッピングする方式と、の中の一つによって前記サブフレームを確定することが好ましい。
【００５５】
前記制御チャネルがｅＰＤＣＣＨである場合、前記制御チャネルをバンドリング伝送する周波数領域リソース位置を確定することが、各サブフレームにおいて事前定義されたアグリゲーションレベルで同一の物理リソースブロックＰＲＢ集合においてｅＰＤＣＣＨをブラインド検出することと、各サブフレームにおいてバンドリングサブフレームの番号に基づいて異なるＰＲＢ集合においてｅＰＤＣＣＨをブラインド検出することと、の中の一つを含むことが好ましい。
【００５６】
本発明の他の実施例によると、ネットワーク側の機器に応用される制御チャネルの伝送装置であって、端末タイプを指示するための指示情報を取得するように構成される取得モジュールと、前記指示情報により指示された端末タイプが第１の端末タイプである場合、複数のサブフレームにて前記第１の端末タイプの端末に制御チャネルを送信するように構成される送信モジュールと、を含む制御チャネルの伝送装置を提供する。
【００５７】
前記送信モジュールが、さらに、前記指示情報により指示された端末タイプが第２の端末タイプである場合、単一のサブフレームにて前記第２の端末タイプの端末に制御チャネルを送信するように設置されることが好ましい。
【００５８】
本発明の他の実施例によると、上述した伝送装置を備えるネットワーク側機器を提供する。
【００５９】
本発明の他の実施例によると、端末に応用される制御チャネルの伝送処理装置であって、端末タイプを指示するための指示情報を取得するように設置される取得モジュールと、前記指示情報により指示された端末タイプが第１の端末タイプである場合、複数のサブフレームにて制御チャネルを検出するように設置された検出モジュールとを含む制御チャネルの伝送処理装置を提供する。
【００６０】
前記検出モジュールがさらに、前記指示情報により指示された端末タイプが第２の端末タイプである場合、単一のサブフレームにて前記制御チャネルを検出するように設置されることが好ましい。
【００６１】
本発明のさらなる他の実施例によると、上述した処理装置を備える端末を提供する。
【００６２】
本発明の実施例によると、端末タイプを指示する指示情報により指示された端末タイプが第１の端末タイプである場合、複数のサブフレームにて端末に制御チャネルを送信する技術手段を用いることで、既存技術において、ダウンリンク制御チャネルを重複送信することができないなどの技術課題を解決し、低カバー環境でネットワーク側が端末を区別して制御チャネルを送信することができ、カバー向上要求のある端末が基地局から送信される制御情報を正確に受信できるように保証し、端末のデータ伝送を保証できる。
【図面の簡単な説明】
【００６３】
ここで説明する図面は本発明を理解させるためのもので、本発明の一部を構成し、本発明における実施例と共に本発明を解釈し、本発明を不当に限定するのではない。
【図１】図１は、既存技術に係わるＬＴＥシステムにおけるＦＤＤフレームの構造を示す図である。
【図２】図２は、既存技術に係わるＬＴＥシステムにおけるＴＤＤフレームの構造を示す図である。
【図３】図３は、本発明の実施例１に係わる制御チャネルの伝送方法を示すフローチャートである。
【図４】図４は、本発明の実施例１に係わる時間領域における事前定義方式でバンドリングを指示することを示す図である。
【図５】図５は、本発明の実施例１に係わる時間領域における事前定義方式でバンドリングを指示する他の例を示す図である。
【図６】図６は、本発明の実施例１に係わる時間領域における事前定義方式でバンドリングを指示する更なる他の例を示す図である。
【図７】図７は、本発明の実施例１に係わる制御チャネル伝送装置の構造を示すブロック図である。
【図８】図８は、本発明の実施例２に係わる制御チャネル伝送処理方法を示すフローチャートである。
【図９】図９は、本発明の実施例２に係わる制御チャネル伝送処理装置の構造を示すブロック図である。
【図１０】図１０は、本発明の実施例に係わる送信側のプロセスを示す図である。
【図１１】図１１は、本発明の実施例に係わる受信側のプロセスを示す図である。
【発明を実施するための形態】
【００６４】
以下、図面を参照しつつ実施例を結合して本発明の実施例を詳しく説明する。ここで、衝突しない限り、本願の実施例及び実施例中の特徴を互いに結合することができる。
【００６５】
実施例１
図３は、本発明の実施例に係わる制御チャネルの伝送方法を示すフローチャートである。該方法はネットワーク側の機器に応用されるもので、図３に示すように、以下のステップを含む。
端末タイプを指示するための指示情報を取得する（ステップＳ３０２）。
前記指示情報により指示された端末タイプが第１の端末タイプである場合、複数のサブフレームにて前記第１の端末タイプの端末に制御チャネルを送信する（ステップＳ３０４）。
【００６６】
上記処理ステップによると、端末タイプを指示する指示情報により指示された端末タイプが第１の端末タイプである場合、複数のサブフレームにて端末に制御チャネルを送信する技術手段を用いているので、低カバー環境下で、ネットワーク側が端末を区別して制御チャネル送信を行うことができ、カバー向上要求のある端末が基地局から送信された制御情報を正確に受信することを保証することができ、さらに端末のデータ伝送を保証できる。
【００６７】
ステップＳ３０２において、上記指示情報を取得する方式はさまざまで、例えば、ローカルから取得したり、基地局が一部の領域を制御チャネル重複送信用として配置したり、第３の機器から取得したりすることができる。
【００６８】
本実施例において、指示情報により端末タイプが第２の端末タイプであると指示された場合、単一のサブフレームにて第２の端末タイプの端末に制御チャネルを送信する。
本実施例において、１又は２で端末タイプを表することができ、例えば、「１」で第１の端末タイプを表し、「２」で第２の端末タイプを表することができる。
【００６９】
端末タイプを指示するための指示情報を取得する具体的な実現方式は、
（１）端末に対応するＰＲＡＣＨ情報に基づいて指示情報を取得する方式と、
（２）端末の位置情報に基づいて指示情報を取得する方式の中の少なくとも一つを含むが、これらの限定されることはない。
【００７０】
第（１）種類の実現方式の場合、以下の方式で実現される：
ａ、端末に対応するＰＲＡＣＨ情報に基づいて端末タイプを確定し、ここで、第１の端末タイプと第２の端末タイプに対応するＰＲＡＣＨ情報は異なる。従来のＬＴＥ端末アクセス方式を第１の端末タイプとし、従来のＬＴＥ端末アクセス方式と異なるものを第２の端末タイプとし、
ｂ、端末に対応するＰＲＡＣＨリソースに基づいて端末タイプを確定し、ここで、第１の端末タイプと第２の端末タイプに対応するＰＲＡＣＨリソースは異なる。本実施例において、上記ＰＲＡＣＨリソースはＰＲＡＣＨ  Ｐｒｅａｍｂｌｅシーケンス、ＰＲＡＣＨ時間領域リソース、ＰＲＡＣＨ周波数領域リソースの中の少なくとも一つを含む。
【００７１】
第（１）種類の実現方式の場合、さらに以下の方式で実現される。
端末が位置するセル内の所定のエリアに基づいて端末タイプを確定し、ここで、第１の端末タイプと第２の端末タイプに対応する所定のエリアは異なる。ネットワーク側の機器を基地局とする場合、端末の位置に基づいて端末タイプが基地局であることを確定し、ネットワーク側の機器がセル中の固定位置の端末へ制御チャネルを複数フレームで重複送信するように配置され、基地局により水平発射角度と垂直発射角度とを制御する可能性がある。
本実施例において、第１の端末タイプのＤＣＩのビット数量は第２の端末タイプのＤＣＩビット数量以下である。
【００７２】
本実施例において、制御チャネルに乗せられた情報を確定する方法は具体的に以下を含む。  
制御チャネルの各サブフレームが動的にスケジューリング伝送される場合、システムの帯域幅に基づいて、ＢＷ＝１．４ＭＨｚである場合は、Ｃｏｍｐａｃｔ  ＤＣＩ  Ｆｏｒｍａｔを使用し、ＢＷ＞１．４ＭＨｚである場合は、ＬＴＥシステム中のＦｏｒｍａｔ  ０／１Ａを使用し、
ここで、Ｃｏｍｐａｃｔ  ＤＣＩ  Ｆｏｒｍａｔは少なくとも、
キャリア指示、Ｆｏｒｍａｔ  ０／１Ａ識別子、ＰＵＳＣＨの周波数ホッピング識別子、ＰＵＳＣＨ  リソース割り当て及び周波数ホッピング割り当て、変調符号化方案（Ｍｏｄｕｌａｔｉｏｎ  Ｃｏｄｅ  Ｓｃｈｅｍｅ、ＭＣＳと略称）レベル及び冗長度バージョン（Ｒｅｄｕｎｄａｎｃｙ  Ｖｅｒｓｉｏｎ、ＲＶと略称）、新規データ指示）（Ｎｅｗ  Ｄａｔａ  Ｉｎｄｉｃａｔｏｒ、ＮＤＩと略称）、スケジューリングのＰＵＳＣＨに対する発射パワー制御（Ｔｒａｎｓｍｉｔ  Ｐｏｗｅｒ  Ｃｏｎｔｒｏｌ、ＴＰＣと略称）コマンド、復調参照信号（Ｄｅｍｏｄｕｌａｔｉｏｎ  Ｒｅｆｅｒｅｎｃｅ  Ｓｉｇｎａｌ、ＤＭ  ＲＳと略称）のサイクリックシフト及び直交カバーコード（Ｏｒｔｈｏｇｏｎａｌ  Ｃｏｖｅｒ  Ｃｏｄｅ、ＯＣＣと略称）インデックス、ＵＬインデックス、ダウンリンク割り当てインデックス（Ｄｏｗｎｌｉｎｋ  Ａｓｓｉｇｎｍｅｎｔ  Ｉｎｄｅｘ、ＤＡＩと略称）、チャネル状態情報（Ｃｈａｎｎｅｌ  Ｓｔａｔｅ  Ｉｎｆｏｒｍａｔｉｏｎ、ＣＳＩと略称）要求、サウンディング参照信号（Ｓｏｕｎｄｉｎｇ  Ｒｅｆｅｒｅｎｃｅ  Ｓｉｇｎａｌ、ＳＲＳと略称）要求、リソース割り当てタイプ、集中／離散仮想リソースブロック（Ｖｉｒｔｕａｌ  Ｒｅｓｏｕｒｃｅ  Ｂｌｏｃｋ、ＶＲＢと略称）割り当てマーク、ＰＤＳＣＨリソース割り当て、プリアンブルインデックス、物理ランダムアクセスチャネルＰＲＡＣＨ隠れインデックス、ハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱと略称）プロセス番号、ＲＶ、スケジューリングの物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨと略称）に対するＴＰＣコマンドのビット領域の中の一つを含む。
【００７３】
制御チャネルの複数のフレームがバンドリング重複される場合、システムの帯域幅に基づいて、ＢＷ＝１．４ＭＨｚである場合は、事前定義されたＤＣＩ  Ｆｏｒｍａｔを使用し、ＢＷ＞１．４ＭＨｚである場合は、ＬＴＥシステム中のＦｏｒｍａｔ  ０／１Ａを使用し（異なる帯域幅に応じて異なるＤＣＩ  Ｆｏｒｍａｔを使用）、
この時、複数のフレームが重複される状況での事前定義されたＤＣＩ  ＦｏｒｍａｔがＣｏｍｐａｃｔ  ＤＣＩ  Ｆｏｒｍａｔのビット領域を含む以外、さらにｂｉｔ領域を増加することができる。サービスチャネルの重複回数（例えば、２ｂｉｔ情報、ＤＣＩに増加されるサービスチャネルの重複回数の集合が｛１０、２０、３０、５０｝であることが好ましい）を増加することが好ましい。
【００７４】
本実施例において、同じ伝送モードで、複数のサブフレームにて伝送する制御チャネルに対応するダウンリンク制御情報ＤＣＩと単一のサブフレームにて伝送する制御チャネルに対応するＤＣＩは異なる。
【００７５】
本実施例において、
長期的進化ＬＴＥシステムの帯域幅に基づいて利用される制御チャネルのタイプを確定する方式１と、
キャリアタイプに基づいて利用される制御チャネルのタイプを確定する方式２と、
所定の制御チャネルのタイプを一貫して利用する方式３と、
上位シグナルにより制御チャネルのタイプを配置する方式４と、
の中の一つの方式で制御チャネルのタイプを確定することができるが、これらに限定されることはない。
【００７６】
本実施例において、上記制御チャネルは、物理ダウンリンク制御チャネルＰＤＣＣＨと、拡張された物理ダウンリンク制御チャネルｅＰＤＣＣＨと、を含み、
指示情報により指示された端末タイプが第１の端末タイプである場合、長期的進化ＬＴＥシステムの帯域幅に基づいて利用される制御チャネルのタイプを確定することが、帯域幅が所定の閾値に等しい場合、ＰＤＣＣＨを利用し、帯域幅が所定の閾値を越える場合、ｅＰＤＣＣＨを利用する（例えば、帯域幅ＢＷ＝１．４ＭＨｚである場合、ＰＤＣＣＨを使用し、ＢＷ＞１．４ＭＨｚである場合は、ｅＰＤＣＣＨを利用する）ことを含み、また、キャリアタイプに基づいて利用される制御チャネルのタイプを確定することは、非ＮＣＴの場合はＰＤＣＣＨを利用し、ＮＣＴの場合はｅＰＤＣＣＨを利用することと、ＰＤＣＣＨを一貫して利用して、ｅＰＤＣＣＨを一貫して利用することと、含み、
指示情報により指示された端末タイプが第２の端末タイプである場合、ＬＴＥシステムの帯域幅に基づいて利用される制御チャネルタイプを確定することは、帯域幅が所定の閾値に等しい場合、ＰＤＣＣＨ又はｅＰＤＣＣＨを利用し、帯域幅が所定の閾値を越える場合、ｅＰＤＣＣＨを利用する（例えば、帯域幅ＢＷ＝１．４ＭＨｚである場合は、ＰＤＣＣＨ又はｅＰＤＣＣＨを利用し、ＢＷ＞１．４ＭＨｚである場合は、ｅＰＤＣＣＨを利用する）ことを含み、また、キャリアタイプに基づいて利用される制御チャネルのタイプを確定することは、非ＮＣＴの場合はＰＤＣＣＨを利用し、ＮＣＴの場合にはｅＰＤＣＣＨを利用することと、ＰＤＣＣＨを一貫して利用することと、を含む。
【００７７】
本実施例において、複数のサブフレームにて第１の端末タイプの端末へ制御チャネルを送信する場合、複数のサブフレームにて制御チャネルに対応するデータチャネル及び／又は制御チャネルに対応するアップリンク制御チャネルを送信する。即ち、前記制御チャネルが複数のサブフレームで伝送される場合、制御チャネルのスケジューリングされたデータチャネル（ＰＤＳＣＨ／ＰＵＳＣＨ）及び／又は前記制御チャネルに対応するアップリンク制御チャネルも複数のサブフレームにて伝送される。
【００７８】
本実施例において、データチャネル又はアップリンク制御チャネルの重複回数は、上記制御チャネルの重複回数に対応させる方式、例えば一定の比例関係するにする方式と、制御チャネル中の制御情報により指示する方式と、事前定義された重複回数を利用する方式の中の一つの方式で確定する。ここで、特殊な状況として、上記制御チャネルの重複回数と同じであることができる。
【００７９】
本実施例において、データチャネルと制御チャネルとの間のタイミング関係は以下を含む。
ダウンリンクデータチャネルと制御チャネルが同一のサブフレームで伝送され、又は、データチャネルが制御チャネルの後のＴ個のサブフレームで伝送され、ここで、Ｔは０又は正整数である。前者の場合、特別な指示（ＤＣＩにサービスチャネルの伝送回数を含む）や特別な事前定義（サービスチャネルを事前定義されたサブフレーム回数で伝送する）がなされていない時、データチャネルも制御チャネルと同一のバンドリングサブフレームで伝送される。
【００８０】
前記制御チャネルが複数のサブフレームにて伝送される場合、以下の方式で制御チャネルに対応するリソースを確定する：
事前定義方式又はシグナル指示方式でバンドリング伝送するサブフレームを確定し（ステップ１）、ここで、バンドリング伝送とは制御チャネルが時間領域で重複送信されることを指し、また、制御チャネルをバンドリング伝送するリソースの位置を確定する（ステップ２）。
【００８１】
事前定義方式の方式でバンドリング伝送するサブフレームを確定することは、図４〜６に示すように、時間領域において、各無線フレームがｈ個のサブフレームを使用し、Ｍ個の無線フレームを配置する（ｈとＭはいずれも自然数である）方式を利用することを事前定義することを含む。ここで、ｈの値が１、２、３、４、５、６の中の一つであることが好ましい。
【００８２】
本実施例において、連続するＮ個のサブフレームをバンドリングする方式を採用することができ、ここで、Ｎは自然数であって、Ｎ個のサブフレームが使用するＯＦＤＭシンボル数量及び位置は同じであって、又は、所定の数量のサブフレームを間隔にＮ個のサブフレームをバンドリングする方式を採用することもできる。連続するＮ個のサブフレームをバンドリングする方式を利用する場合、Ｎの値は４、８、１０、２０の中の一つであることが好ましい。
【００８３】
本実施例において、以下の中の一つのシグナル指示方式によってバンドリング伝送するサブフレームを確定する。
１、メインシステム情報ブロックＭＩＢメッセージにより指示する。例えば、１０ｂｉｔの予約ビットにＮ  ｂｉｔを追加するなど、Ｎは自然数である、
２、メイン同期シーケンス又はサブ同期シーケンスの両側の予約サブキャリアによりＮ  ｂｉｔ指示を携帯する。Ｎは自然数である、
３、無線リソース制御ＲＲＣ接続を確立した後、ＲＲＣシグナルにより通知する。当該実現方式について、複雑な時間周波数領域変化情報はバンドリングに用いることができ、例えば、Ｎが２である場合、２ｂｉｔで（４種類｛４、８、１０、２０｝の中の１種類のバンドリング数量）サブフレームバンドリング数量情報を携帯する。
４、ＲＡＣＨ中のシグナルにより指示する。
【００８４】
制御チャネルをバンドリング伝送するリソースの位置を確定することは、
物理ダウンリンク制御チャネルＰＤＣＣＨについて、以下の方式の中の一つの方式でリソースの位置を確定する：ＰＤＣＣＨを各バンドリングサブフレームの同一のインデックスの制御チャネル要素ＣＣＥにおいて重複伝送し、
ＰＤＣＣＨを各バンドリングサブフレームの専用捜索空間内の同一のインデックスの候補セットにおいて重複伝送し、
ＰＤＣＣＨを各バンドリングサブフレームの事前定義されたアグリゲーションレベルで専用捜索空間において重複伝送する。
【００８５】
本実施例において、事前定義方式の方式でバンドリング伝送するサブフレームを確定することは、以下の通り含む。
制御チャネルが拡張された物理ダウンリンク制御チャネルｅＰＤＣＣＨである場合、以下の方式の中の一つによってサブフレームを確定する。全てのバンドリングサブフレームを同一の物理リソースブロックＰＲＢにおいて伝送する方式、重複されるサブフレームの周波数領域位置が原始サブフレームの周波数領域位置に対して同一の集合内で周波数ホッピングする方式、重複されるサブフレームの周波数領域位置が原始サブフレームの周波数領域位置とは異なる集合内で周波数ホッピングする。
【００８６】
上述した制御チャネルをバンドリング伝送するリソースの位置を確定することが、
制御チャネルがｅＰＤＣＣＨである場合、ｅＰＤＣＣＨを各バンドリングサブフレームの同一のインデックスの補強制御チャネル要素ｅＣＣＥにおいて重複伝送することと、
ｅＰＤＣＣＨを各バンドリングサブフレームの同一の物理リソースブロックＰＲＢ集合中の、同一のインデックスの候補セットにおいて重複伝送することと、
ｅＰＤＣＣＨを各バンドリングサブフレームの対応するＰＲＢにおいて、事前定義されたアグリゲーションレベル（例えば、ＰＲＢ全体）で同一のｅＣＣＥにおいて伝送することと、ここで、同一のＰＲＢ  集合に同一の候補セットのインデックスが存在し、
ｅＰＤＣＣＨを各バンドリングサブフレームの異なるＰＲＢ  集合において、同一の候補セットのインデックスに対応するｅＣＣＥにおいて重複伝送することと、の中の一つを含む。集合にサイクリックシフト使用すると事前定義することができる（サイクリックシフトに限られなく、間隔シフトであることもできる）。
【００８７】
そして、上記の４種類に対応する他の配置は以下のとおりである（固定するべきであって、具体的な方式は実施例で説明する）：離散／集中ｅＰＤＣＣＨマッピング方式で伝送する、伝送方式をビームフォーミング（Ｂｅａｍ  ｆｏｒｍｉｎｇ、ＢＦと略称）／オープンループ（ｏｐｅｎ  ｌｏｏｐ、ＯＬと略称）多入力多出力（Ｍｕｌｔｉｐｌｅ  Ｉｎｐｕｔ  Ｍｕｌｔｉｐｌｅ  Ｏｕｔｐｕｔ、ＭＩＭＯと略称）の一つに固定する、開始位置を固定する、アンテナポートとパイロットを固定する（ＣＲＳ、ＤＭＲＳ、同期）。
【００８８】
本実施例において、上記制御チャネルベアラ情報によりスケジューリングされるデータに対応する符号化方法、又は、上記制御チャネルに乗せられる情報に対応する符号化方法は、以下の中の一つを含む。
閾値Ｘを事前定義し、伝送ブロック情報ビットの数量が閾値Ｘ未満であると、テールバイティング畳み込み符号ＴＢＣＣを利用し、そうでないと、ｔｕｒｂｏで符号化し、ここで、Ｘは自然数であって、
二つの閾値Ｘ、Ｙを事前定義し、伝送ブロック情報ビットの数量がＸ以上であると、ｔｕｒｂｏで符号化し、伝送ブロック情報ビット数量がＹ以上Ｘ未満であると、ＴＢＣＣで符号化し、伝送ブロック情報ビット数量がＹ未満であると、ＲＭ（Ｒｅｅｄ−Ｍｕｌｌｅｒ）符号で符号化し、ここで、Ｘ、Ｙはいずれも自然数であって、Ｘ＞Ｙである。
【００８９】
本実施例において、上記制御チャネルベアラ情報によりスケジューリングされるデータに対応するＣＲＣを確定する方法、又は、制御チャネルのベアラ情報に対応するＣＲＣを確定する方法は、以下の一つを含む。
一つの閾値Ｘ１を事前定義し、伝送ブロック情報ビットの数量が閾値Ｘ１未満であると、Ａ１ビットのＣＲＣを追加し、そうでないと、Ａ２ビットのＣＲＣを追加し、ここで、Ａ１とＡ２は正整数で、Ｘ１は自然数であって、
二つの閾値Ｘ１、Ｙ１を事前定義し、伝送ブロック情報ビットの数量がＸ１以上であると、Ｂ１ビットのＣＲＣを追加し、伝送ブロック情報ビット数量がＹ１以上Ｘ１未満であると、Ｂ２ビットのＣＲＣを追加し、伝送ブロック情報ビット数量がＹ１未満であると、Ｂ３ビットのＣＲＣを追加し、ここで、Ｘ１、Ｙ１はいずれも自然数であって、Ｘ１＞Ｙ１を満たす。
【００９０】
本実施例において、上記Ａ１とＡ２は、（Ａ１，Ａ２）、（８，１６）、（１６，２４）、（８，２４）、（４，１６）の中の一つの組み合わせであって、及び／又は、Ｂ１、Ｂ２、Ｂ３は、（Ｂ１，Ｂ２，Ｂ３）：（２４，１６，８）、（１６，８，４）の中の一つの組み合わせである。
【００９１】
本実施例によるとさらに、上記実施例及び好適な実施形態を実現するための制御チャネルの伝送装置を提供し、既に説明した部分の説明は省略し、以下、該装置に係わるモジュールを説明する。以下の説明で用いられる用語「モジュール」は所定の機能のソフトウェア及び／又はハードウェアの組み合わせを実現できる。以下の実施例で説明する装置をソフトウェアで実現することが好ましいが、ハードウェア又はソフトウェアとハードウェアの組み合わせによって実現することも可能である。図７は、本発明の実施例に係わる制御チャネル伝送装置の構造を示すブロック図である。図７に示すように、該装置は、
送信モジュール７２に接続されて、端末タイプを指示するための指示情報を取得するように構成される取得モジュール７０と、
前記指示情報により指示された端末タイプが第１の端末タイプである場合、複数のサブフレームにて前記第１の端末タイプの端末に制御チャネルを送信するように構成される送信モジュール７２と、を含む。
【００９２】
本実施例において、上記送信モジュール７２はさらに、上記指示情報により指示された端末タイプが第２の端末タイプである場合、単一のサブフレームにて第２の端末タイプの端末に制御チャネルを送信するように構成される。
本実施例においてさらに、上述した巣落ちを備えるネットワーク側機器を提供する。
【００９３】
実施例２
本実施例は、実施例１に対応して、端末側で説明する。
図８は、本発明の実施例に係わる制御チャネルの伝送処理方法を示すフローチャートである。該方法は端末に応用されるものであって、図８に示すように、以下のステップを含む。
端末タイプを指示するための指示情報を取得する（ステップＳ８０２）。
前記指示情報により指示された端末タイプが第１の端末タイプである場合、複数のサブフレームにて制御チャネルを検出する（ステップＳ８０４）。
【００９４】
本実施例において、指示情報により指示された端末タイプが第２の端末タイプである場合、単一のサブフレームにて制御チャネルを検出する。本実施例において、１又は２を用いて端末タイプを識別することができ、例えば、「１」で第１の端末タイプを表し、「２」で第２の端末タイプを表することができる。
【００９５】
本実施例において、端末タイプを指示するための指示情報を取得することが、端末に対応する物理ランダムアクセスチャネルＰＲＡＣＨ情報に基づいて指示情報を取得することと、端末の位置情報に基づいて指示情報を取得することの中の少なくとも一つを含む。
【００９６】
端末タイプを確定する方式は以下を含む。
１、端末に対応するＰＲＡＣＨ情報に基づいて端末タイプを確定し、ここで、第１の端末タイプと第２の端末タイプに対応するＰＲＡＣＨ情報は異なる。
２、端末に対応するＰＲＡＣＨリソースに基づいて端末タイプを確定し、ここで、第１の端末タイプと第２の端末タイプに対応するＰＲＡＣＨリソースは異なる。
【００９７】
上述した２種類の確定方式は以下の形態で表現される。既存のＬＴＥ端末アクセス方式を端末タイプ１とし、既存のＬＴＥ端末アクセス方式と異なるものを端末タイプ２とし、又は、端末に対応するＰＲＡＣＨリソースに基づいて判定することができ、ここで、端末タイプ１と端末タイプ２に対応するＰＲＡＣＨリソースは異なっていて、前記異なるＰＲＡＣＨリソースは、少なくとも、異なるＰＲＡＣＨ  Ｐｒｅａｍｂｌｅシーケンス、異なるＰＲＡＣＨ時間領域リソース、異なるＰＲＡＣＨ周波数領域リソースの中の一つを含む。
【００９８】
本実施例において、さらに、端末が位置するセルの所定のエリアに基づいて端末タイプを確定することができ、ここで、第１の端末タイプと第２の端末タイプに対応する所定のエリアは異なる。具体的には、端末位置を固定する方式で、セルにおいて固定位置の端末に制御チャネルの複数フレームの重複受信させる。
【００９９】
本実施例において、ＬＴＥシステムの異なる帯域幅に基づいて、制御チャネルの異なるフォーマットのＤＣＩベアラ情報を確定する。
本実施例において、長期的進化ＬＴＥシステムの帯域幅に基づいて所定の制御チャネルタイプを検出する方式と、キャリアタイプに基づいて検出する所定の制御チャネルタイプを確定する方式と、所定の制御チャネルタイプを固定して検出する方式との中の一つによって制御チャネルのタイプを確定する。
【０１００】
本実施例において、上記制御チャネルは、物理ダウンリンク制御チャネルＰＤＣＣＨと、拡張された物理ダウンリンク制御チャネルｅＰＤＣＣＨを含み、
指示情報により指示された端末タイプが第１の端末タイプである場合、根据長期的進化ＬＴＥシステムの帯域幅に基づいて所定の制御チャネルタイプを検出することは、帯域幅が所定の閾値に等しい場合、ＰＤＣＣＨを検出し、帯域幅が所定の閾値を越える場合、ｅＰＤＣＣＨを検出する（例えば、帯域幅ＢＷ＝１．４ＭＨｚである場合は、ＰＤＣＣＨを検出し、ＢＷ＞１．４ＭＨｚである場合は、ｅＰＤＣＣＨを検出し）ことを含み、また、キャリアタイプに基づいて、検出する所定の制御チャネルタイプを確定することは、互換性キャリアの場合はＰＤＣＣＨを検出し、非互換性キャリアの場合はｅＰＤＣＣＨを検出し、ＰＤＣＣＨを一貫して検出して、ＰＤＣＣＨを一貫して利用することを含み、
指示情報により指示された端末タイプが第２の端末タイプである場合、長期的進化ＬＴＥシステムの帯域幅に基づいて所定の制御チャネルタイプを検出することは、帯域幅が所定の閾値に等しい場合、ＰＤＣＣＨ又はｅＰＤＣＣＨを検出し、帯域幅が所定の閾値を越える場合、ｅＰＤＣＣＨを検出する（例えば、帯域幅ＢＷ＝１．４ＭＨｚである場合は、ＰＤＣＣＨ又はｅＰＤＣＣＨを検出し、ＢＷ＞１．４ＭＨｚである場合は、ＰＤＣＣＨ又はｅＰＤＣＣＨを検出し）ことを含み、また、キャリアタイプに基づいて検出する所定の制御チャネルタイプを確定することは、互換性キャリアの場合はＰＤＣＣＨを検出し、非互換性キャリアの場合はｅＰＤＣＣＨを検出し、ＰＤＣＣＨを一貫して検出することを含む。
【０１０１】
複数のサブフレームにおいて制御チャネルを検出する場合、端末は制御チャネルの位置に基づいて制御チャネルスによりケジューリングされたデータチャネル位置を確定し、データチャネルと制御チャネルは同一のサブフレームにて伝送される。該処理フローは、特別な指示（ＤＣＩにサービスチャネル伝送回数が含まれる）や特別な事前定義（サービスチャネルが事前定義されたサブフレーム回数で伝送される）がなされていない状況に応用される。
本実施例において、データチャネルと制御チャネルとの間のタイミング関係は、データチャネルを制御チャネルの後のＴ個のサブフレームにて伝送し、ここで、Ｔは０又は正整数である。
【０１０２】
本実施例において、以下の方式で上記制御チャネルに対応するリソースを確定する。
事前定義方式又はシグナル指示方式でバンドリング伝送されるサブフレームを受信する（ステップ１）。
制御チャネルをバンドリング伝送するリソース位置を確定する（ステップ２）。
【０１０３】
ステップ１において、事前定義方式でバンドリング伝送するサブフレームを確定することは、
時間領域において、各無線フレームがｈ個のサブフレームを利用し、Ｍ個の無線フレームを配置する方式を利用すると事前定義し、ｈとＭはいずれも自然数である。Ｈは、１、２、３、４、５、６の中の一つであるがこれらに限定されることはない。具体的には、
方式１、連続するＮ個のサブフレームバンドリングを受信し、Ｎは自然数であって、｛４、８、１０、２０｝であることが好ましく、使用するＯＦＤＭシンボル数量及び位置は同一であって、
方式２、一つのサブフレームを間隔にＮ個のサブフレームバンドリングを行い、
方式３、各無線フレームが一つのサブフレームを利用して、Ｍ個の無線フレームを受信する。
ＴＤＤシステムについて、無線フレームで重複することができ、又は、一部の配置のみが利用可能であると限定することができる。配置１〜５のみに適用することが好ましい。
【０１０４】
本実施例において、連続するＮ個のサブフレームバンドリングの方式を利用し、ここで、Ｎは自然数であって、Ｎ個のサブフレームが使用するＯＦＤＭシンボルの数量及び位置は同一であって、又は、所定の数量のサブフレームを間隔にする方式でＮ個のサブフレームバンドリングを行う。連続するＮ個のサブフレームをバンドリングする方式を利用する場合、Ｎの値が４、８、１０、２０の中の一つであることが好ましい。
【０１０５】
本実施例において、以下の方式の中の一つのシグナル指示方式でバンドリング伝送を指示する情報を取得する。
ＭＩＢメッセージ（１０ｂｉｔ予約ビット中のＮｂｉｔ、Ｎは自然数である）を受信することで、バンドリング伝送情報を取得し、
メイン同期シーケンス又はサブ同期シーケンスの両側の予約サブキャリアに携帯した所定のビット（Ｎｂｉｔ）を受信することでバンドリング伝送を指示する情報を取得し、
無線リソース制御ＲＲＣ接続を確立した後、ＲＲＣシグナルを受信してバンドリング伝送を指示する情報を取得する。ＲＲＣ接続を確立した後、ＲＲＣシグナルを受信することで、複雑な時間周波数領域の変化情報はバンドリングすることができる。例えば、Ｎが２である場合、２ｂｉｔは４種類｛４、８、１０、２０｝の中の一つのバンドリング数量を指示し、サブフレームのバンドリング数量情報を携帯する。
【０１０６】
ＲＡＣＨ中（例えば、Ｍｓｇ２）のシグナルに基づいて確定する。
本実施例において、制御チャネルのバンドリング伝送のリソース位置を確定することは、
ＰＤＣＣＨについて、以下の方式の中の一つによってリソース位置を確定する。ＰＤＣＣＨについて、各サブフレームにおけるＰＤＣＣＨ時間周波数領域の検出方式は不変であって、各サブフレームが事前定義されたアグリゲーションレベルＸで専用捜索空間においてＰＤＣＣＨをブラインド検出し、ここで、Ｘは自然数で、１６、３２、６４、１２８、２５６などであることが好ましい。
【０１０７】
本実施例において、制御チャネルがｅＰＤＣＣＨである場合、以下の方式の中の一つによってサブフレームを確定する：全てのバンドリングサブフレームが同一の物理リソースブロックＰＲＢにて伝送され、重複サブフレームの周波数領域の位置が原始サブフレームの周波数領域の位置に対して所定の集合内で周波数ホッピングし、重複サブフレームの周波数領域の位置が原始サブフレームの周波数領域の位置に対して異なる集合内で周波数ホッピングする。
【０１０８】
制御チャネルがｅＰＤＣＣＨである場合、制御チャネルをバンドリング伝送する周波数領域のリソース位置を確定することが、各サブフレームが事前定義されたアグリゲーションレベルで同一の物理リソースブロックＰＲＢ集合でｅＰＤＣＣＨをブラインド検出することと、各サブフレームがバンドリングサブフレームの番号に基づいて、異なるＰＲＢ集合でｅＰＤＣＣＨをブラインド検出することの中の一つを含む。
【０１０９】
上記制御チャネルが複数のサブフレームにて伝送される場合、前記制御チャネル（ｅＰＤＣＣＨ）に対応する伝送方式を確定する方法は、以下を含む。
（１）事前定義／シグナル指示に基づいてバンドリング状況を取得する。
事前定義方式でバンドリングサブフレームを受信する。
時間領域で以下の方式の中一つを利用すると事前定義する。
方式１、連続するＮ個のサブフレームバンドリングを受信し、Ｎは自然数であって、｛４、８、１０、２０｝であることが好ましく、使用するＯＦＤＭシンボル数量及び位置は同一であって、
方式２、一つのサブフレームを間隔にＮ個のサブフレームバンドリングを行い、
方式３、各無線フレームが一つのサブフレームを利用し、Ｍ個の無線フレームを受信する。
ＴＤＤシステムについて、無線フレームで重複し、又は、一部の配置のみを利用可能であると限定することができる。配置１〜５に適用することが好ましい。
【０１１０】
端末がシグナル指示方式で指示したバンドリングを受信し、以下の方式の中の一つを利用することができる。
方式１：ＭＩＢメッセージ（１０ｂｉｔ予約ビット中のＮｂｉｔ）を受信して、バンドリング情報を取得し、
方式２：メイン同期シーケンス又はサブ同期シーケンスの両側の予約サブキャリアが携帯したＮｂｉｔを受信して、バンドリング指示情報を取得し、
方式３：（ＲＲＣ接続を確立した後）複雑な時間周波数領域のバンドリング変化情報はＲＲＣシグナルによって受信することによるものである。
【０１１１】
例えば、Ｎが２である場合、２ｂｉｔは４種類の状況｛４、８、１０、２０｝の中の一つのバンドリング数量を指示し、サブフレームバンドリング数量情報を携帯し、
周波数領域において以下の方式の中の一つを利用すると事前定義する（ｅＰＤＣＣＨのみについて）。
方式１、全てのバンドリングサブフレームを同一のＰＲＢにて伝送し、
方式２、重複サブフレームの周波数領域の位置が原始サブフレームの周波数領域の位置に対して所定の集合（ｓｅｔ）内で周波数ホッピングし、例えば、ＰＲＢ番号が｛２、４、８、１０｝であるｓｅｔ内で周波数領域位置のサイクリックシフトを行う。
方式３、重複サブフレームの周波数領域位置が原始サブフレームの周波数領域位置に対して異なるｓｅｔ内で周波数ホッピングする。
【０１１２】
（２）制御チャネルをバンドリング伝送するリソース位置を確定する。
ｅＰＤＣＣＨのバンドリングリソース伝送は以下の方式の中の一つを利用する。
方式１：各サブフレームがｅＰＤＣＣＨをブラインド検出する方式は不変であり、
方式２：各サブフレームが事前定義されたアグリゲーションレベルＸ（さらにＰＲＢ全体を含む）で同一のＰＲＢ  ｓｅｔにおいてｅＰＤＣＣＨをブラインド検出し、
方式３：各サブフレームがバンドリングサブフレームの番号に基づいて、異なるＰＲＢ  ｓｅｔにおいてｅＰＤＣＣＨをブラインド検出し、ｓｅｔはサイクリックシフト使用又は間隔シフト使用と事前定義することができ、
そして、上述した４種類に対応する他の配置（固定すべきで、具体的な方式は実施例で説明する）：離散／集中ｅＰＤＣＣＨマッピング方式で伝送、伝送方式をＢＦ／ＯＬ  ＭＩＭＯの一つに固定、開始位置を固定、アンテナポートの固定＋パイロット（ＣＲＳ、ＤＭＲＳ、同期）。
上記端末は、ＭＴＣ端末を含み、他のカバー補強要求のある端末をさらに含む。
【０１１３】
本実施例が提供する制御チャネルの伝送方法によると、カバー向上の要求がある端末が制御情報を正確に受信でき、事業者が別途の基地局、中継局などの高コストの機器を配置していないまま、端末とネットワークとの正常通信を保証できる。
【０１１４】
本実施例においてさらに制御チャネル伝送処理装置の構造のブロック図を提供する。図９に示すように、該装置は、
検出モジュール９２に接続されて、端末タイプを指示するための指示情報を取得するように構成される取得モジュール９０と、
上記指示情報により指示された端末タイプが第１の端末タイプである場合、複数のサブフレームにおいて制御チャネルを検出するように構成される検出モジュール９２と、を含む。
【０１１５】
上記検出モジュール９２がさらに、指示情報により指示された端末タイプが第２の端末タイプである場合、単一のサブフレームにて制御チャネルを検出するように構成されることが好ましい。
本実施例においてさらに、上述した装置を備える端末を提供する。
上述した実施例を理解させるため、以下、実施例と関連する図面を結合して詳しく説明する。
【０１１６】
実施例３
低カバー環境でのＭＴＣ機器又は他の端末の制御チャネルの正確な伝送を保証するため、本発明において制御チャネルの伝送方法及び装置を提供して、低カバー環境で基地局が端末機器を区別して制御チャネルの送信を行うことができ、カバー向上要求の端末が基地局から送信された制御情報を正確に受信し、端末のデータ伝送を保証することができるようにする。
【０１１７】
本実施例において、ＦＤＤシステムで、制御チャネルの伝送を本発明で提供するバンドリング伝送方法で行うことを詳しく説明する。
基地局側の具体的な処理ステップは、図１０に示すように、以下を含む。
基地局側で制御チャネルの伝送がバンドリング重複送信する必要があるか否かを判定する（ステップＳ１００２）。基地局が、特殊な位置の端末がランダムアクセスする際のアクセスリソースに基づいて、即ち、ＬＴＥ端末のＰＲＡＣＨとは異なる時間周波数リソースでＰｒｅａｍｂｌｅを受信すると、該端末が特殊な要求のある端末と判定するので、制御チャネルのバンドリング伝送を行う必要がある。
基地局が制御情報を確定する（ステップＳ１００４）。基地局が端末タイプに基づいて、この時、端末はカバー補強要求のある端末であるので、Ｃｏｍｐａｃｔ  ＤＣＩ  Ｆｏｒｍａｔを利用する。同時に、複数のフレームが重複する状況でのＣｏｍｐａｃｔ  ＤＣＩは、既存のプロトコルに基づくｂｉｔ領域のオーバーヘッドが減少するとともに、サービスチャネル重複回数ｂｉｔ領域が増加される。増加されるサービスチャネルの重複回数を２ｂｉｔ情報を使用することが好ましく、ＤＣＩにサービスチャネル重複回数が増加され、｛１０、２０、３０、５０｝の集合であることが好ましく、サービスチャネルを１０回重複して伝送することを指示する。
【０１１８】
制御チャネル処理方式は依然として、１６ｂｉｔ  ＣＲＣの追加及びＴＢＣＣチャネル符号化方式を利用する。制御チャネルにより指示されるデータチャネルで伝送される情報ビットは以下の方式でＣＲＣ追加及びチャネル符号化を行う。
一つの閾値Ｘを事前定義し、伝送ブロック情報ビットの数量が閾値未満であると、８ビットのＣＲＣを追加し、そうでないと、１６ビットのＣＲＣを追加する。一つの閾値Ｍを事前定義し、伝送ブロック情報ビットの数量が当該閾値未満であると、ＴＢＣＣを利用し、そうでないと、ｔｕｒｂｏ符号を利用する。ここで、Ｘ、Ｍは自然数である。
【０１１９】
ＰＤＣＣＨとｅＰＤＣＣＨとを区別する（ステップＳ１００６）。基地局が端末タイプに基づいて、この時、端末はカバー補強要求のある端末で、ｅＰＤＣＣＨを利用してバンドリング伝送を行う。
バンドリング伝送を指示する（ステップＳ１００８）。
【０１２０】
バンドリング指示時の周波数領域位置を事前定義する。
時間領域の事前定義方式について、
連続するＮ個のサブフレームをバンドリングし、Ｎは自然数であって、好適な集合である｛４、８、１０、２０｝から選択し、使用するＯＦＤＭシンボル数量及び位置は同一であり、
周波数領域の事前定義方式について、
全てのバンドリングするサブフレームを同一のＰＲＢにて伝送して、
制御チャネルをバンドリング伝送するリソース位置を確定することである。
ｅＰＤＣＣＨのバンドリングリソース伝送方式について、
ｅＰＤＣＣＨを各バンドリングサブフレームの同一のインデックスのｅＣＣＥにて重複伝送し、これは、同時に同一のＰＲＢ  ｓｅｔに同一の候補セットインデックスのｅＣＣＥにあることを要求し、
そして、ｅＰＤＣＣＨを、集中マッピング方式で伝送し、伝送方式をＢＦ方式に固定し、開始位置を第４個のＯＦＤＭシンボルに固定し、アンテナポートをＰｏｒｔ  １０７に固定する。
【０１２１】
端末側の処理ステップは以下を含む。
単一フレームの伝送と制御チャネルのバンドリング伝送の受信を確定する（ステップＳ１１０２）。
特殊な要求のある端末が基地局から送信されるＰＲＡＣＨ配置情報を受信し、ランダムアクセスによって複数のフレームの重複受信する要求があることを表し、即ち、ＬＴＥ端末のランダムアクセス方式と異なればよく、具体的には、異なるＰＲＡＣＨ時間周波数リソースを占めてＰｒｅａｍｂｌｅシーケンスを送信する。この時、端末は制御チャネルがバンドリング伝送受信すると確定する。
検出する制御チャネルタイプを確定する（ステップＳ１１０４）。
制御チャネルの複数のフレームをバンドリング重複した状況で、自体の端末タイプに基づいて、特殊な要求のある端末であると、ｅＰＤＣＣＨを検出する。
【０１２２】
制御チャネルを検出する（ステップＳ１１０６）。
制御チャネルのブラインド検出は、複数のフレーム状況でバンドリングリソースの配置に応じて検出する。
まず、事前定義に基づいてバンドリング状況を把握する。事前定義方式でバンドリングサブフレームを受信し、ここで、
時間領域での事前定義方式について、
連続するＮ個のサブフレームバンドリングを受信し、Ｎは自然数であって、好適な集合｛４、８、１０、２０｝から選択し、使用するＯＦＤＭシンボル数量及び位置は同一であって、
周波数領域での事前定義方式について、
全てのバンドリングサブフレームを同一のＰＲＢにて伝送し、
次に、制御チャネルをバンドリング伝送するリソース位置を確定する。ｅＰＤＣＣＨのバンドリングリソース伝送方式について、
ｅＰＤＣＣＨを各バンドリングサブフレームの同一のインデックスのｅＣＣＥにて重複伝送し、これは、同時に同一のＰＲＢ  ｓｅｔにおける同一の候補セットインデックスであることを要求し、ブラインド検出方式は不変であり、
そして、受信する場合、ｅＰＤＣＣＨは、集中マッピング方式で伝送し、伝送方式は１種類のＢＦに固定され、開始位置は第４個のＯＦＤＭシンボルに固定され、アンテナポートはＰｏｒｔ  １０７に固定される。
【０１２３】
本実施例において、制御チャネルｅＰＤＣＣＨをバンドリング伝送することで、低カバー環境で端末機器が制御情報を正確に受信するように保証し、端末機器の正常通信要求を保証できる。
【０１２４】
実施例４
本実施例において、ＴＤＤシステムで制御チャネル伝送を本発明で提供するバンドリング伝送方法を用いることについて詳しく説明する。
基地局側の具体的な処理ステップは以下を含む。
基地局側が、制御チャネル伝送をバンドリング重複送信する必要があるか否かを判定する（ステップＳ１００２）。基地局が、特殊な位置の端末がランダムアクセスする際のアクセスリソースに基づいて、即ち、ＬＴＥ端末のＰＲＡＣＨとは異なる時間周波数リソースでＰｒｅａｍｂｌｅを受信すると、該端末が特殊な要求のある端末であると判定するので、制御チャネルのバンドリング伝送を行う必要がある。
【０１２５】
基地局が制御情報を確定する（ステップＳ１００４）。基地局が、端末タイプに基づいて、この時、端末がカバー補強要求のある端末であるので、Ｃｏｍｐａｃｔ  ＤＣＩ  Ｆｏｒｍａｔを利用する。同時に、複数のフレームの重複状況でのＣｏｍｐａｃｔ  ＤＣＩは、既存のプロトコルに基づくｂｉｔ領域のオーバーヘッドが減少するとともに、サービスチャネルの重複回数ｂｉｔ領域が追加される。追加さｒせるサービスチャネルの重複回数が２ｂｉｔ情報を使用することが好ましく、ＤＣＩに追加されるサービスチャネル重複回数が｛１０、２０、５０、１００｝集合であることが好ましく、サービスチャネルを１０回重複伝送することを指示する。
【０１２６】
制御チャネルの処理方式は依然として１６ｂｉｔＣＲＣの追加及びＴＢＣＣチャネル符号化方式を用いる。制御チャネルにより指示されるデータチャネルで伝送される情報ビットは以下の方式でＣＲＣの追加及びチャネル符号化を行う。
二つの閾値Ｘ、Ｙを事前定義し、伝送ブロック情報ビットの数量がＸを超えると、２４ビットのＣＲＣを追加し、伝送ブロック情報ビット数量がＹを越えるがＸ未満であると、１６ビットのＣＲＣを追加し、そうでないと、８ビットのＣＲＣを追加する。二つの閾値Ｍ、Ｎを事前定義し、伝送ブロック情報ビットの数量がＭを超えると、ｔｕｒｂｏで符号化し、伝送ブロック情報ビット数量がＮを越えるがＭ未満であると、ＴＢＣＣで符号化し、伝送ブロック情報ビット数量がＮ未満であると、ＲＭで符号化する。ここで、Ｘ、Ｙ、Ｍ、Ｎは自然数である。
【０１２７】
ＰＤＣＣＨとｅＰＤＣＣＨを区別する（ステップＳ１００６）。基地局が、端末タイプに基づいて、この時、端末はカバー補強要求のある端末で、ｅＰＤＣＣＨを利用するバンドリング伝送する。
【０１２８】
バンドリング伝送を指示する（ステップＳ１００８）。
バンドリングを指示する時間周波数領域位置を事前定義する。
時間領域での事前定義方式について、
ＴＤＤに１を配置する場合、連続するＭ個の無線フレームをバンドリングし、Ｎは自然数であって、好適な集合｛１、２、１０、２０｝から選択し、使用するＯＦＤＭシンボル数量及び位置は同一であり、
周波数領域での事前定義方式について、
全てのバンドリングサブフレームを同一のＰＲＢにて伝送し、
制御チャネルをバンドリング伝送するリソース位置を確定することである。
ｅＰＤＣＣＨのバンドリングリソース伝送方式について、
ｅＰＤＣＣＨを各バンドリングサブフレームの同一のインデックスのｅＣＣＥにて重複伝送し、これは、同時に同一のＰＲＢ  ｓｅｔにおける同一の候補セットインデックスであることを要求し、ブラインド検出方式は不変であって、
そして、ｅＰＤＣＣＨを、集中マッピング方式で伝送し、伝送方式をＢＦ方式に固定し、開始位置を第４個のＯＦＤＭシンボルに固定し、アンテナポートをＰｏｒｔ  １０７に固定する。
【０１２９】
端末側の処理ステップは図８に示すように、以下を含む。
単一フレームの伝送と制御チャネルのバンドリング伝送の受信を確定する（ステップＳ１１０２）。
【０１３０】
特殊な要求のある端末が基地局から送信されるＰＲＡＣＨ配置情報を受信し、ランダムアクセスによって複数のフレームの重複受信する要求があることを表し、即ち、ＬＴＥ端末のランダムアクセス方式と異なればよく、具体的には、異なるＰＲＡＣＨ時間周波数リソースを占めてＰｒｅａｍｂｌｅシーケンスを送信する。この時、端末は制御チャネルがバンドリング伝送受信すると確定する
【０１３１】
検出する制御チャネルタイプを確定する（ステップＳ１１０４）。
制御チャネルの複数のフレームをバンドリング重複した状況で、自体の端末タイプに基づいて、特殊な要求のある端末であると、ｅＰＤＣＣＨを検出する。
【０１３２】
制御チャネルを検出する（ステップＳ１１０６）。
制御チャネルのブラインド検出は、複数のフレーム状況でバンドリングリソースの配置に応じて検出する。
【０１３３】
まず、事前定義に基づいてバンドリング状況を把握する。事前定義方式でバンドリングサブフレームを受信し、ここで、
時間領域での事前定義方式について、
ＴＤＤに１を配置する場合、連続するＭ個の無線フレームをバンドリングし、Ｎは自然数であって、好適な集合｛１、２、１０、２０｝から選択し、使用するＯＦＤＭシンボル数量及び位置は同一であり、
周波数領域での事前定義方式について、
全てのバンドリングサブフレームを同一のＰＲＢにて伝送し、
制御チャネルをバンドリング伝送するリソース位置を確定する。
ｅＰＤＣＣＨのバンドリングリソース伝送方式について、
ｅＰＤＣＣＨを各バンドリングサブフレームの同一のインデックスのｅＣＣＥにて重複伝送し、これは、同時に同一のＰＲＢ  ｓｅｔにおける同一の候補セットインデックスであることを要求し、ブラインド検出方式は不変であり、
そして、受信する際、ｅＰＤＣＣＨを、集中マッピング方式で伝送し、伝送方式をＢＦ方式に固定し、開始位置を第４個のＯＦＤＭシンボルに固定し、アンテナポートをＰｏｒｔ  １０７に固定する。
【０１３４】
本実施例において、制御チャネルｅＰＤＣＣＨをバンドリング伝送することで、低カバー環境で端末機器が制御情報を正確に受信するように保証し、端末機器の正常通信要求を保証できる。
【０１３５】
実施例５
本実施例において、ＦＤＤシステムで制御チャネル伝送を本発明で提供する単一フレーム伝送方法を用いることについて詳しく説明する。
基地局側の具体的な処理ステップは以下を含む。
基地局側が、制御チャネル伝送をバンドリング重複送信する必要があるか否かを判定する（ステップＳ１００２）。基地局が端末がランダムアクセスする際のアクセスリソースに基づいて、ＬＴＥ端末のＰＲＡＣＨの時間周波数リソースでＰｒｅａｍｂｌｅを受信すると、該端末がＬＴＥ端末であると判定するので、制御チャネルをバンドリング伝送することを要求しなく、即ち、単一フレームで伝送する。
【０１３６】
基地局が制御情報を確定する（ステップＳ１００４）。基地局がシステムの帯域幅に基づいて、ＢＷ＝１．４ＭＨｚである場合は、Ｃｏｍｐａｃｔ  ＤＣＩ  Ｆｏｒｍａｔを使用し、Ｃｏｍｐａｃｔ  ＤＣＩは既存のプロトコルに基づくｂｉｔ領域のオーバーヘッドは減少する。
制御チャネル処理方式は依然として１６ｂｉｔ  ＣＲＣの追加及びＴＢＣＣチャネル符号化方式を利用する。制御チャネルにより指示されるデータチャネルで伝送される情報ビットは依然として２４ｂｉｔ  ＣＲＣの追加及びＴｕｒｂｏチャネル符合で符号化する。
【０１３７】
ＰＤＣＣＨとｅＰＤＣＣＨを区別する（ステップＳ１００６）。基地局がシステムの帯域幅に基づいて、ＢＷ＝１．４ＭＨｚである場合は、ＰＤＣＣＨ又はｅＰＤＣＣＨを利用し、この時、一貫してＰＤＣＣＨを利用する。
【０１３８】
バンドリング伝送を指示する（ステップＳ１００８）。
各サブフレームの動的スケジューリング伝送について、制御チャネルのリソースの確定は依然として既存のプロトコルに基づいて行う。
【０１３９】
端末側の処理ステップは図８に示すように、以下を含む。
単一フレームの伝送と制御チャネルのバンドリング伝送の受信を確定する（ステップＳ１１０２）。
特殊な要求のある端末が基地局から送信されるＰＲＡＣＨ配置情報を受信し、ランダムアクセスによって複数のフレームの重複受信する要求があることを表し、即ち、ＬＴＥ端末のランダムアクセス方式と異なればよく、具体的には、同一のＰＲＡＣＨ時間周波数リソースを占めてＰｒｅａｍｂｌｅシーケンスを送信する。この時、端末は制御チャネルが単一フレームでの伝送受信であると確定する。
検出する制御チャネルタイプを確定する（ステップＳ１１０４）。
基地局がシステムの帯域幅に基づいて、ＢＷ＝１．４ＭＨｚである場合は、ＰＤＣＣＨ又はｅＰＤＣＣＨを利用し、この時、一貫してＰＤＣＣＨを利用する。
制御チャネルを検出する（ステップＳ１１０６）。
【０１４０】
制御チャネルをブラインド検出して、各サブフレームの動的スケジューリングで伝送し、制御チャネルリソースの確定は依然として既存のプロトコルによって行われる。
本実施例によると、制御チャネル伝送を行わないことによって、普通野端末が制御情報を正確に受信でき、端末機器の正常な通信要求を保証できる。。
【０１４１】
実施例６
本実施例において、ＦＤＤシステムで制御チャネル伝送が本発明で提供されるバンドリング伝送方法を用いることを詳しく説明する。
基地局側の具体的な処理ステップは以下を含む。
基地局側が、制御チャネル伝送をバンドリング重複送信する必要があるか否かを判定する（ステップＳ１００２）。基地局が、事前定義方式で、セル中の固定位置の端末に制御チャネルの複数のフレームのバンドリング重複送信を行うと配置し、基地局により水平発射角度と垂直発射角度を制御する。
【０１４２】
基地局が制御情報を確定する（ステップＳ１００４）。基地局が端末タイプに基づいて、この時、端末がカバー補強要求のある端末であるので、Ｃｏｍｐａｃｔ  ＤＣＩ  Ｆｏｒｍａｔを利用する。同時に、複数のフレームが重複状況でのＣｏｍｐａｃｔ  ＤＣＩは、既存プロトコルに基づいてｂｉｔ領域のオーバーヘッドを減少できる。
【０１４３】
制御チャネルの処理方式は依然として１６ｂｉｔ  ＣＲＣ追加及びＴＢＣＣチャネル符号化方式を利用する。制御チャネルにより指示されるデータチャネルで伝送する情報ビットは以下の方式でＣＲＣの追加及びチャネル符号化を行う。
一つの閾値Ｘを事前定義し、伝送ブロック情報ビットの数量が該閾値未満であると、８ビットのＣＲＣを追加し、そうでないと、１６ビットのＣＲＣを追加する。一つの閾値Ｍを事前定義し、伝送ブロック情報ビットの数量が該閾値未満であると、ＴＢＣＣを利用し、そうでないと、ｔｕｒｂｏ符号を利用する。ここで、Ｘ、Ｍは自然数である。
【０１４４】
ＰＤＣＣＨとｅＰＤＣＣＨを区別する（ステップＳ１００６）。基地局が端末タイプに基づいて、この時、端末がカバー補強要求のある端末であるので、ｅＰＤＣＣＨを利用するバンドリング伝送する。
【０１４５】
バンドリング伝送を指示する（ステップＳ１００８）。
バンドリングを指示する際の周波数領域位置を事前定義する。
時間領域での事前定義方式について、
一つのサブフレームを間隔に、Ｎ個のサブフレームバンドリングを行い、Ｎは自然数であって、好適な集合｛４、８、１０、２０｝から選択し、使用するＯＦＤＭシンボル数量及び位置は同一であり、
周波数領域での事前定義方式について、
重複サブフレームの周波数領域位置が原始サブフレームの周波数領域位置に対して所定のｓｅｔ内で周波数ホッピングし、例えば、ＰＲＢ番号が｛２、４、８、１０｝であるｓｅｔからＰＲＢ番号が２であるリソースブロック（Ｒｅｓｏｕｒｃｅ  Ｂｌｏｃｋ、ＲＢと略称）を選択して重複サブフレーム中の一番目のサブフレームの伝送を行い、ＰＲＢ番号が４であるＲＢを選択して重複サブフレーム中の二番目のサブフレームの伝送を行い、その後は類似に行い、周波数領域位置のサイクリックシフト選択を実現する。
【０１４６】
次に、制御チャネルをバンドリング伝送するリソース位置を確定する。
ｅＰＤＣＣＨのバンドリングリソース伝送方式について、
ｅＰＤＣＣＨを各バンドリングサブフレームの同一のＰＲＢ  ｓｅｔ中の同一の候補セットインデックスにて重複伝送し、ブラインド検出方式は不変であって、この時、各サブフレームがブラインド検出するｅＣＣＥ番号は、同一のｓｅｔ中のＰＲＢの違いによって異なる。
【０１４７】
そして、ｅＰＤＣＣＨは、離散マッピング方式で伝送し、伝送方式は１種類のＢＦに固定され、開始位置は第４個のＯＦＤＭシンボルに固定され、アンテナポートはポートＰｏｒｔ  １０７に固定される。
【０１４８】
端末側の処理ステップは以下を含む。
単一フレームの伝送と制御チャネルのバンドリング伝送の受信を確定する（ステップＳ１１０２）。
特殊な要求のある端末が、事前定義方式で、制御チャネルの複数のフレームをバンドリング重複受信すると配置する。この時、端末は制御チャネルをバンドリング伝送受信であると確定する。
検出する制御チャネルタイプを確定する（ステップＳ１１０４）。
制御チャネルが複数のフレームバンドリング重複の状況で、自体の端末タイプに基づいて、特殊な要求のある端末であると、ｅＰＤＣＣＨを検出する。
制御チャネルを検出する（ステップＳ１１０６）。
【０１４９】
制御チャネルのブラインド検出は、複数のフレームの状況で、バンドリングリソース配置に基づいて検出する。
まず、事前定義によってバンドリング状況を把握し、事前定義方式でバンドリングサブフレームを受信し、ここで、
時間領域での事前定義方式について、
一つのサブフレームを間隔にＮ個のサブフレームバンドリングし、Ｎは自然数であって、好適な集合｛４、８、１０、２０｝から選択し、使用するＯＦＤＭシンボル数量及び位置は同一であり、
周波数領域での事前定義方式について、
重複サブフレームの周波数領域位は原始サブフレームの周波数領域位置に対して所定のｓｅｔ内で周波数ホッピングし、例えば、端末がＰＲＢ番号が｛２、４、８、１０｝のｓｅｔからＰＲＢ番号が２であるＲＢを選択して重複サブフレーム中の一番目のサブフレームの検出を行い、ＰＲＢ番号が４であるＲＢを選択して重複サブフレーム中の二番目のサブフレームの検出を行い、類似して行って、周波数領域位置のサイクリックシフト選択を実現する。
【０１５０】
次に、制御チャネルをバンドリング伝送するリソース位置を確定する。
ｅＰＤＣＣＨのバンドリングリソース伝送方式について、
ｅＰＤＣＣＨを各バンドリングサブフレームの同一のＰＲＢ  ｓｅｔ中の同一の候補セットインデックスにて重複伝送し、ブラインド検出方式は不変であって、この時、各サブフレームがブラインド検出するｅＣＣＥ番号は、同一のｓｅｔ中のＰＲＢの違いによって異なる。
【０１５１】
そして、ｅＰＤＣＣＨは、離散マッピング方式で伝送し、伝送方式は１種類のＢＦに固定され、開始位置は第４個のＯＦＤＭシンボルに固定され、アンテナポートはＰｏｒｔ  １０７に固定される。
【０１５２】
本実施例において、制御チャネルｅＰＤＣＣＨをバンドリング伝送することで、低カバー環境で端末機器が制御情報を正確に受信するように保証し、端末機器の正常通信要求を保証できる。
【０１５３】
実施例７
本実施例において、ＦＤＤシステムで、制御チャネル伝送が用いるバンドリング伝送方法を詳しく説明する。基地局側の具体的な処理ステップは以下を含む。
基地局側が、制御チャネル伝送をバンドリング重複送信する必要があるか否かを判定する（ステップＳ１００２）。基地局が、事前定義方式で、セル中の固定位置の端末に制御チャネルの複数のフレームバンドリング重複送信を行うと配置し、基地局により水平発射角度と垂直発射角度を制御する。
【０１５４】
基地局が制御情報を確定する（ステップＳ１００４）。基地局が端末タイプに基づいて、この時、端末がカバー補強要求のある端末であるので、Ｃｏｍｐａｃｔ  ＤＣＩ  Ｆｏｒｍａｔを利用する。同時に、複数のフレーム重複状況でのＣｏｍｐａｃｔ  ＤＣＩは、既存のプロトコルに基づくｂｉｔ領域でオーバーヘッドの減少を行う。
【０１５５】
制御チャネル処理方式は依然として１６ｂｉｔ  ＣＲＣの追加及びＴＢＣＣチャネル符号化方式を利用する。制御チャネルにより指示されるデータチャネルで伝送する情報ビットは以下の方式でＣＲＣの追加及びチャネル符号化を行う。
一つの閾値Ｘを事前定義し、伝送ブロック情報ビットの数量が該閾値未満であると、８ビットのＣＲＣを追加し、そうでないと、１６ビットのＣＲＣを追加する。一つの閾値Ｍを事前定義し、伝送ブロック情報ビットの数量が該閾値未満であると、ＴＢＣＣを利用し、そうでないと、ｔｕｒｂｏ符号を利用する。ここで、Ｘ、Ｍは自然数である。
【０１５６】
ＰＤＣＣＨとｅＰＤＣＣＨを区別する（ステップＳ１００６）。基地局が端末タイプに基づいて、この時、端末がカバー補強要求のある端末であるので、ｅＰＤＣＣＨを利用するバンドリング伝送する。
【０１５７】
バンドリング伝送を指示する（ステップＳ１００８）。
シグナルによりバンドリング際の周波数領域位置を指示する。シグナル指示方式でバンドリングし、ＲＲＣ確立シグナルの前、ＭＩＢメッセージ（放送チャネル）又は変調サブ同期シーケンス（予約サブキャリアＮｂｉｔ、例えば、２ｂｉｔで４種類｛４、８、１０、２０｝の中の一つのバンドリング数量を指示する）によってサブフレームバンドリング数量情報を携帯し、周波数領域はＰＲＢ番号が２であるリソースを一貫して使用し、
ＲＲＣ接続を確立した後、複雑な時間周波数領域バンドリング変化情報はＲＲＣシグナルにより通知することができる。
【０１５８】
通知の時間領域バンドリング方式について、
Ｎ個のサブフレームバンドリングを行い、Ｎは自然数であって、好適な集合｛４、８、１０、２０｝から選択し、使用するＯＦＤＭシンボル数量及び位置は同一であり、
通知の周波数領域バンドリング方式について、
重複サブフレームの周波数領域位置は原始サブフレームの周波数領域位置に対して二つの異なるｓｅｔ内で周波数ホッピングし、例えば、ＰＲＢ番号が｛２、４、８、１０｝であるｓｅｔからＰＲＢ番号が２であるＲＢを選択して重複サブフレーム中の一番目のサブフレーム伝送を行い、ＰＲＢ番号が｛１６、２０、２４、２８｝であるｓｅｔからＰＲＢ番号が１６であるＲＢを選択して重複サブフレーム中の二番目のサブフレーム伝送を行い、ＰＲＢ番号が｛２、４、８、１０｝であるｓｅｔからＰＲＢ番号が４であるＲＢを選択して重複サブフレーム中の三番目のサブフレーム伝送を行い、ＰＲＢ番号が｛１６、２０、２４、２８｝であるｓｅｔからＰＲＢ番号が２０であるＲＢを選択して重複サブフレーム中の四番目のサブフレーム伝送を行い、類似に行って、周波数領域位置の異なるｓｅｔの交互サイクリックシフト選択を実現する。
【０１５９】
制御チャネルをバンドリング伝送するリソース位置を確定する。
ｅＰＤＣＣＨのバンドリングリソース伝送方式について、
ｅＰＤＣＣＨを各バンドリングサブフレームの異なるＰＲＢ  ｓｅｔ中の同一の候補セットインデックスに対応するｅＣＣＥにて重複伝送し、ｓｅｔは交互サイクリックシフト選択として事前定義され、選択されたｅＣＣＥ番号はｓｅｔの違いによってＰＲＢにおいても異なる。
【０１６０】
そして、ｅＰＤＣＣＨを、離散マッピング方式で伝送し、伝送方式は１種類のＢＦに固定し、開始位置を第４個のＯＦＤＭシンボルに固定し、アンテナポートはＰｏｒｔ  １０７に固定する。
【０１６１】
端末側の処理ステップは以下を含む。
単一フレームの伝送と制御チャネルのバンドリング伝送の受信を確定する（ステップＳ１１０２）。
特殊な要求のある端末はシグナル指示方式で、シグナルによりバンドリング時間周波数領域位置を指示する。シグナル指示方式でバンドリングし、ＲＲＣ確立シグナルの前に、ＭＩＢメッセージ（放送チャネル）又は変調サブ同期シーケンス（予約サブキャリアＮｂｉｔ、例えば、２ｂｉｔで４種類｛４、８、１０、２０｝の中の一つのバンドリング数量を指示する）によってサブフレームバンドリング数量情報を携帯し、周波数領域はＰＲＢ番号が２であるリソースを一貫して利用し、
ＲＲＣ接続を確立した後、複雑な時間周波数領域バンドリング変化情報はＲＲＣシグナルを受信することで取得できる。
検出する制御チャネルタイプを確定する（ステップＳ１１０４）。
制御チャネルの複数のフレームバンドリング重複の状況で、自体の端末タイプに基づいて、特殊な要求のある端末であると、ｅＰＤＣＣＨを検出する。
制御チャネルを検出する（ステップＳ１１０６）。
【０１６２】
制御チャネルのブラインド検出は、複数のフレームの状況で、バンドリングリソース配置に基づいて検出する。
まず、事前定義によってバンドリング状況を把握し、シグナル指示方式でバンドリングサブフレームを受信し、ＲＲＣを確立する前、ＭＩＢを受信して固定の時間周波数領域リソースを把握し、ＲＲＣを確立した後、シグナルを受信して時間周波数領域リソースを把握し、ここで、
通知の時間領域バンドリング方式について、
Ｎ個のサブフレームバンドリングを行い、Ｎは自然数であって、好適な集合｛４、８、１０、２０｝から選択し、使用するＯＦＤＭシンボル数量及び位置は同一であり、
通知の周波数領域バンドリング方式について、
重複サブフレームの周波数領域位置は原始サブフレームの周波数領域位置に対して二つの異なるｓｅｔ内で周波数ホッピングし、例えば、ＰＲＢ番号が｛２、４、８、１０｝であるｓｅｔからＰＲＢ番号が２であるＲＢを選択して重複サブフレーム中の一番目のサブフレーム伝送を行い、ＰＲＢ番号が｛１６、２０、２４、２８｝であるｓｅｔからＰＲＢ番号が１６であるＲＢを選択して重複サブフレーム中の二番目のサブフレーム伝送を行い、ＰＲＢ番号が｛２、４、８、１０｝であるｓｅｔからＰＲＢ番号が４であるＲＢを選択して重複サブフレーム中の三番目のサブフレーム伝送を行い、ＰＲＢ番号が｛１６、２０、２４、２８｝であるｓｅｔからＰＲＢ番号が２０であるＲＢを選択して重複サブフレーム中の四番目のサブフレーム伝送を行い、類似に行って、周波数領域位置の異なるｓｅｔの交互サイクリックシフト選択を実現する。
【０１６３】
次に、制御チャネルをバンドリング伝送するリソース位置を確定する。
ｅＰＤＣＣＨのバンドリングリソース伝送方式について、
ｅＰＤＣＣＨを各バンドリングサブフレームの異なるＰＲＢ  ｓｅｔにおける同一の候補セットインデックスに対応するｅＣＣＥにて重複伝送し、ｓｅｔは交互サイクリックシフト選択すると事前定義され、選択されるｅＣＣＥ番号は異なるｓｅｔの異なるＰＲＢにおいて異なる。
【０１６４】
そして、ｅＰＤＣＣＨを、離散マッピング方式で伝送し、伝送方式は１種類のＢＦに固定され、開始位置は第４個のＯＦＤＭシンボルに固定され、アンテナポートはＰｏｒｔ  １０７に固定される。
【０１６５】
本実施例において、制御チャネルｅＰＤＣＣＨをバンドリング伝送することで、低カバー環境で端末機器が制御情報を正確に受信するように保証し、端末機器の正常通信要求を保証できる。
【０１６６】
上述した実施例からわかるように、本発明の実施例において提供する制御情報の伝送方法によると、システムの制御情報の信頼性を大幅に向上させることができ、低カバー環境に配置された端末機器のカバー性能を改善し、端末機器の正常通信を保証できる。
【０１６７】
他の実施例において、上記実施例及び好適な実施形態に記載の技術案を実行するためのソフトウェアを提供する。
また、他の実施例において、上記ソフトウェアが格納された記憶媒体を提供し、当該記憶媒体は光ディスク、フロッピー（登録商標）、ハードディスク、書き込み・消去可能なメモリなどを含むが、これらの限定されることはない。
【０１６８】
当業者にとって、上記の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【０１６９】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【０１７０】
産業実用性
本発明に提供される上記技術案は、制御チャネルの伝送、伝送処理のプロセスに応用でき、上記技術によると、端末タイプの指示情報に指示された端末タイプが第１の端末タイプである場合、複数のサブフレームにて端末に制御チャネルを送信する技術手段を用いることで、既存技術において、ダウンリンク制御チャネルを重複送信できないなどの技術課題を解決し、低カバー環境でネットワーク側が端末を区別して制御チャネルの送信することができ、カバー向上要求のある端末が基地局から送信された制御情報を正確に受信するように保証し、端末のデータ伝送を保証できる。
【図１】
0006312706.tif 000002
【図２】
0006312706.tif 000003
【図３】
0006312706.tif 000004
【図４】
0006312706.tif 000005
【図５】
0006312706.tif 000006
【図６】
0006312706.tif 000007
【図７】
0006312706.tif 000008
【図８】
0006312706.tif 000009
【図９】
0006312706.tif 000010
【図１０】
0006312706.tif 000011
【図１１】
0006312706.tif 000012